(57)【要約】  本発明は、ガラス容器（２）を成形するためのプロセスを制御するための方法に関し、以下の工程を含む：-いわゆるサンプル容器を取り出すこと；-トモグラフィー装置（３０）を用いて、サンプル容器の複数のＸ線画像を、相異なる投影角度から取得すること；-Ｘ線画像をコンピュータ（３８）に送信すること；-コンピュータを用いてＸ線画像を解析して：・Ｘ線画像に基づいて、サンプル容器の三次元デジタルモデルを、仮想座標系において構築し；・型座標系におけるサンプル容器の位置に関連付けられた三次元デジタルモデルの位置を特定すること；-及び、三次元デジタルモデルを解析して、サンプル容器の少なくとも１つの品質指標（Ａ）を確認すること。【選択図】図１
2021505883.tif 000002
【特許請求の範囲】
【請求項１】
複数の別個の成形セクション（１２）であって各成形セクションにおいて溶融ガラスの少なくとも１つのゴブ（１８）が第１に少なくとも１つのプリフォーム型（１３）においてブランクへと成形されその後第２に少なくとも１つの仕上型（１４）において最終形状へと成形される複数の別個の成形セクション（１２）を有する設備を用いてガラス容器（２）を成形するためのプロセスを制御するための方法であって：
-識別されたプリフォーム型（１３）及び識別された仕上型（１４）に由来するいわゆるサンプル容器を取り出す工程；
-前記サンプル容器（２）を、コンピュータ支援Ｘ線トモグラフィー装置（３０）のサンプルホルダ（３１）上に設置する工程；
-前記トモグラフィー装置（３０）を用いて、前記サンプル容器の複数のＸ線画像を、相異なる投影角度から取得する工程；
-前記Ｘ線画像をコンピュータ（３８）に送信する工程；
-前記コンピュータに、型座標系における、前記仕上型内に存する前記サンプル容器の位置を与える工程；
-前記コンピュータを用いて前記Ｘ線画像を解析して：
・前記Ｘ線画像に基づいて、前記サンプル容器の三次元デジタルモデル（Ｍ）を、仮想座標系において構築し；
・前記型座標系における前記サンプル容器の位置に関連付けられた前記三次元デジタルモデルの位置を特定する工程；
-及び、前記三次元デジタルモデル（Ｍ）を解析して、前記サンプル容器の少なくとも１つの領域に関連する前記サンプル容器の少なくとも１つの品質指標（Ａ）を確認し、前記品質指標（Ａ）に基づいて、前記サンプル容器の前記型に関連する前記成形プロセスの少なくとも１つの制御パラメータ用の調整情報を推定することを可能にする工程；
を含むことを特徴とする、方法。
【請求項２】
前記型座標系における前記サンプル容器（２）の位置に関連付けられた前記三次元デジタルモデル（Ｍ）の位置を特定するために、前記方法は、前記サンプル容器における参照レリーフ（Ｒ）を参照することと、前記サンプル容器の前記サンプルホルダ（３１）上への設置を、前記サンプルホルダを参照する視覚的又は機械的な機器に関連付けられて前記サンプル容器の前記参照レリーフ（Ｒ）が配置される態様で行うことと、を含むことを特徴とする、請求項１に記載の方法。
【請求項３】
前記型座標系における前記サンプル容器の位置に関連付けられた前記三次元デジタルモデル（Ｍ）の位置を特定するために、前記方法は：
-前記サンプル容器における参照レリーフ（Ｒ）であって前記型座標系における位置が分かっているものを選択すること；
-前記三次元デジタルモデル（Ｍ）において、選択された前記参照レリーフ（Ｒ）に対応する仮想参照レリーフ（Ｒｖ）を設けること；
-及び、前記仮想座標系における前記仮想参照レリーフの位置を特定し、特定された前記仮想参照レリーフの位置に基づいて、前記型座標系における前記三次元デジタルモデル（Ｍ）の位置を推定すること；
を含むことを特徴とする、請求項１に記載の方法。
【請求項４】
前記方法は、前記三次元デジタルモデル（Ｍ）を、前記サンプルホルダ（３１）を考慮して、前記サンプルホルダ上における前記サンプル容器の仮想設置平面（Ｐｒ）に対して垂直に延びる仮想垂直軸を有するように構築することと、前記型座標系における前記参照レリーフの位置に対応する位置に前記仮想参照レリーフ（Ｒｖ）を移動させるために、前記三次元デジタルモデル（Ｍ）の、前記仮想垂直軸周りの相対回転を実行することと、を含むことを特徴とする、先行する請求項に記載の方法。
【請求項５】
前記方法は、取り出された前記サンプル容器が由来する前記プリフォーム型（１３）及び／又は前記仕上型（１４）を型番号又は位置番号に基づいて識別することと、この型番号又はこの位置番号を前記サンプル容器の前記品質指標に関連付けて利用可能とすることと、を含むことを特徴とする、先行する請求項のいずれか一項に記載の方法。
【請求項６】
前記サンプル容器であってコードの形式又はアルファベットと数字を組み合わせた形式で前記型番号又は前記位置番号を示すレリーフを保持するものが由来する前記プリフォーム型（１３）及び／又は前記仕上型（１４）を識別するために、前記方法は：
-前記サンプル容器によって保持された前記レリーフを読み取り、読み取った前記番号を前記コンピュータ（３８）に伝達すること；
-又は、前記サンプル容器（２）の前記三次元デジタルモデル（Ｍ）を、前記サンプル容器の前記レリーフに対応する仮想レリーフの位置を検索することにより解析し、この仮想レリーフを読み取って前記コンピュータ（３８）に利用可能とすること；
を含むことを特徴とする、先行する請求項のいずれか一項に記載の方法。
【請求項７】
前記方法は、前記サンプル容器（２）を、遅くとも、前記設備のアニーリングアーチに入る前に取り出すことを含むことを特徴とする、先行する請求項のいずれか一項に記載の方法。
【請求項８】
前記方法は、前記サンプル容器の品質指標（Ａ）を確認し、識別された前記型に関する容器を成形する前記プロセスの少なくとも１つの制御パラメータ用の調整情報を：
-識別された前記プリフォーム型に供給される前記ガラスゴブの重量又は形状；
-識別された前記プリフォーム型に供給される際の前記ガラスゴブ（１８）の位置又は速度；
-ブロープランジャー、識別された前記型、前記ブランクの移送、又は取り出しグリッパのメカニズムの動きにおける、同期、速度、又は力；
-識別された前記型又は関連付けられたプランジャーの冷却；
-識別された前記型に関するブロー又は押し付けの圧力；
-識別された型の交換
の中から推定することを可能にすることを含むことを特徴とする、先行する請求項のいずれか一項に記載の方法。
【請求項９】
前記方法は、前記サンプル容器（２）の品質指標（Ａ）として、前記サンプル容器のガラスの分布を確認することを含むことを特徴とする、先行する請求項のいずれか一項に記載の方法。
【請求項１０】
前記方法は、前記サンプル容器の品質指標（Ａ）として、前記サンプル容器の少なくとも１つの体積の測定値であって前記サンプル容器の容量（Ｃｎ）、前記サンプル容器の包絡体の体積及び前記サンプル容器のガラスの体積の中から選択されるものを確認することを含むことを特徴とする、先行する請求項のいずれか一項に記載の方法。
【請求項１１】
前記方法は、前記サンプル容器の品質指標（Ａ）として、前記サンプル容器に施されたレリーフ（Ｂ）の形成を確認することを含むことを特徴とする、先行する請求項のいずれか一項に記載の方法。
【請求項１２】
前記方法は、前記サンプル容器の品質指標（Ａ）として、前記サンプル容器の首部の内部幾何形状を確認することを含むことを特徴とする、先行する請求項のいずれか一項に記載の方法。
【請求項１３】
前記方法は、前記サンプル容器の品質指標（Ａ）として、前記サンプル容器の口天面の平坦性を確認することを含むことを特徴とする、先行する請求項のいずれか一項に記載の方法。
【請求項１４】
前記方法は、前記サンプル容器の品質指標（Ａ）として、前記サンプル容器の本体の複数の外直径を確認することを含むことを特徴とする、先行する請求項のいずれか一項に記載の方法。
【請求項１５】
前記方法は、前記サンプル容器の品質指標（Ａ）としてガラスの分布を確認するために、前記三次元デジタルモデル（Ｍ）の又は該モデルの一部の質量中心の位置（Ｇｖ）を確認することと、前記質量中心の位置（Ｇｖ）を基準位置（Ｇｒ）と比較することと、を含むことを特徴とする、請求項９に記載の方法。
【請求項１６】
前記方法は、前記サンプル容器の品質指標（Ａ）としてガラスの分布を確認するために、前記サンプル容器（２）の少なくとも１つの領域にわたるガラスの壁の厚さを、この領域において所定の値よりも大きい厚さを有する部位の位置及び／又は所定の値よりも小さい厚さを有する部位の位置を検索することにより、随意には前記部位の拡がりを確認することにより、及び／又は、前記領域において最小厚さ又は最大厚さを示す前記壁における部分の存在及び位置を検索することにより、確認することを含むことを特徴とする、請求項９又は１５に記載の方法。
【請求項１７】
前記方法は、前記サンプル容器の品質指標としてガラスの分布を確認するために：
-前記三次元デジタルモデルの仮想垂直軸を含む垂直断面の平面によって、又は、前記仮想垂直軸に直交する水平断面の平面によって区切られた、前記三次元デジタルモデルの少なくとも２つの領域に含まれたガラスの体積を確認すること；
-及び、前記体積を基準体積の値と比較すること、及び／又は、前記体積を同一サンプル容器の複数領域間で比較すること、及び／又は、前記体積を複数のサンプル容器間で比較すること；
を含むことを特徴とする、請求項９、１５又は１６のいずれか一項に記載の方法。
【請求項１８】
前記方法は、前記サンプル容器の品質指標として前記サンプル容器に施されたレリーフ（Ｂ）の形成を確認するために：
-前記サンプル容器の前記三次元デジタルモデル（Ｍ）における少なくとも１つの断平面（Ｃ−Ｃ）の位置を、該断平面が該モデルの外表面（Ｓｅ）の仮想レリーフ（Ｂｒ）であって前記レリーフ（Ｂ）に対応するものの少なくとも一部を切断するように定めること；
-前記断平面において、前記仮想レリーフ（Ｂｒ）の部分の代表カーブ（Ｃｒ）を規定すること；
-前記代表カーブ（Ｃｒ）に少なくとも部分的にゼロ高さカーブ（Ｃａ）を重畳すること、ここで、前記ゼロ高さカーブ（Ｃａ）は前記仮想レリーフ（Ｂｒ）を除いた前記サンプル容器の前記外表面（Ｓｅ）のカーブを表す；
-前記仮想レリーフ（Ｂｒ）の形成の指標として：
・前記代表カーブ（Ｃｒ）と前記ゼロ高さカーブ（Ｃａ）との間の距離；
・所与の位置における前記代表カーブ（Ｃｒ）と前記ゼロ高さカーブ（Ｃａ）との間の傾斜の差；
・前記代表カーブ（Ｃｒ）の傾斜の変化；
・前記代表カーブ（Ｃｒ）及び前記ゼロ高さカーブ（Ｃａ）により区画された面積；
の少なくとも１つを計算することにより、前記代表カーブ（Ｃｒ）を前記ゼロ高さカーブ（Ｃａ）と比較すること；
を含むことを特徴とする、請求項１１に記載の方法。
【請求項１９】
前記方法は、前記サンプル容器の品質指標（Ａ）として前記サンプル容器（２）に施されたレリーフ（Ｂ）の形成を確認するために：
-前記レリーフの代表表面（Ｓｒ）を、前記レリーフ（Ｂ）に対応する仮想レリーフの少なくとも一部を含む対象となる部位における前記三次元デジタルモデルの外表面の一部として規定すること；
-対象となる前記部位の前記外表面に少なくとも部分的に、前記仮想レリーフを除いた対象となる前記部位の表面を表すゼロ高さ表面（Ｓａ）を重畳すること；
-レリーフ形成指標として：
・前記ゼロ高さ表面（Ｓａ）と前記代表表面（Ｓｒ）との間の距離；
・所与の位置における前記ゼロ高さ表面（Ｓａ）と前記代表表面（Ｓｒ）との間の傾斜の差；
・前記代表表面（Ｓｒ）の傾斜の変化；
・前記ゼロ高さ表面（Ｓａ）及び前記代表表面（Ｓｒ）により区画された複数の体積；
の少なくとも１つを計算することにより、前記代表表面（Ｓｒ）を前記ゼロ高さ表面（Ｓａ）と比較すること；
を含むことを特徴とする、請求項１１又は１８のいずれか一項に記載の方法。
【請求項２０】
前記方法は、前記サンプル容器の品質指標として前記サンプル容器に施されたレリーフの形成を確認するために：
-仮想レリーフの代表表面（Ｓｒ）を、前記サンプル容器の前記レリーフに対応する前記仮想レリーフの少なくとも一部を含む対象となる部位における前記三次元デジタルモデルの外表面の一部として規定すること；
-対象となる前記部位の前記外表面に少なくとも部分的に、前記仮想レリーフが正しく形成されている場合における対象となる前記部位の表面を表す理論的レリーフ表面（Ｓｒｉ）を重畳すること；
-レリーフ形成指標として：
・前記代表表面（Ｓｒ）と前記理論的表面（Ｓｒｉ）との間の距離；
・所与の位置における前記表面（Ｓｒ）及び前記表面（Ｓｒｉ）の間の傾斜の差；
・前記表面（Ｓｒ）及び前記表面（Ｓｒｉ）により区画された複数の体積；
の少なくとも１つを計算することにより、前記代表表面（Ｓｒ）を前記理論的表面（Ｓｒｉ）と比較すること；
を含むことを特徴とする、請求項１１、１８又は１９のいずれか一項に記載の方法。
【請求項２１】
前記方法は、前記サンプル容器の品質指標として前記サンプル容器に施されたレリーフの形成を確認するために：
-前記三次元デジタルモデル（Ｍ）において、技術的観点によるレリーフであって位置が既知であるものに対応する仮想レリーフを選択すること；
-断平面の位置を、該断平面がデザイン平面に対応する断平面において前記レリーフを切断するように定めること；
-前記仮想レリーフの部分の代表カーブ（Ｃｒ）を取得すること；
-この代表カーブにおいて、曲率半径、角度、長さ、及び／又は、ゼロ高さカーブ（Ｃａ）までの距離を測定すること；
-前記測定値を、所定の許容値と比較すること；
を含むことを特徴とする、請求項１１、１８、１９又は２０のいずれか一項に記載の方法。
【請求項２２】
前記方法は、前記サンプル容器の品質指標として前記サンプル容器の容量（Ｃｎ）を確認するために：
-前記サンプル容器の前記三次元デジタルモデル（Ｍ）の内表面（Ｓｒ）を規定すること；
-前記サンプル容器の前記三次元デジタルモデルにおける充填レベル平面（Ｐｎ）を規定すること、ここで、前記充填レベル平面（Ｐｎ）は、仮想口天面の平面（Ｐｒ）又は公称充填レベル平面である；
-及び、前記内表面（Ｓｆ）及び前記充填レベル平面により区画された、前記サンプル容器の前記三次元デジタルモデルの内部体積を、計算により測定すること、ここで、この測定値は、前記サンプル容器の容量（Ｃｎ）である；
を含むことを特徴とする、請求項１０に記載の方法。
【請求項２３】
前記方法は、前記サンプル容器の品質指標として前記サンプル容器の包絡体の体積を確認するために：
-前記サンプル容器の前記三次元デジタルモデルの外表面（Ｓｅ）を規定すること；
-体積閉平面（Ｐｆ）を、口天面の平面又は口天部型の継目における下方平面として規定すること；
-及び、前記外表面と前記閉平面とにより区画された内部体積を、前記サンプル容器の包絡体の体積として、計算により測定すること；
を含むことを特徴とする、請求項１０に記載の方法。
【請求項２４】
前記方法は、前記サンプル容器の品質指標（Ａ）として前記サンプル容器の包絡体の体積を確認するために、前記サンプル容器の前記三次元デジタルモデルの壁の体積を確認することを含むことを特徴とする、請求項１０に記載の方法。
【請求項２５】
前記方法は、識別された前記プリフォーム型であってそのブランクは前記サンプル容器（２）が由来する前記仕上型に移送されたものに供給された前記ゴブのガラスの体積に対応する体積を取得するために、内表面（Ｓｆ）と外表面（Ｓｅ）との間の材料欠陥に対応する泡を検索することにより前記三次元デジタルモデル（Ｍ）を解析することと、前記泡の体積を測定することと、を含み、前記泡の体積が、前記内表面（Ｓｆ）と前記外表面（Ｓｅ）との間で規定される前記三次元デジタルモデル（Ｍ）の壁の体積から差し引かれることを特徴とする、先行する請求項に記載の方法。
【請求項２６】
前記方法は：
-前記三次元デジタルモデル（Ｍ）のガラスの体積は、前記プリフォーム型へと供給された前記ゴブの体積の測定値であると考えること、ここで、前記材料欠陥は考慮する又は考慮しない；
-前記三次元デジタルモデル（Ｍ）の外表面及び閉平面により区画される内部体積は、前記仕上型の内部体積の測定値であると考えること；
-前記三次元デジタルモデル（Ｍ）の内表面及び充填レベル平面により区画される体積は、前記サンプル容器の容量（Ｃｎ）の測定値であると考えること；
-前記サンプル容器の容量（Ｃｎ）の測定値及び前記仕上型の内部体積の測定値から、前記サンプル容器が由来する前記プリフォーム型に供給された前記ゴブの体積を推定すること；
-及び、前記サンプル容器の容量が不適合である場合には、前記ゴブの重量であって少なくとも前記サンプル容器が由来する前記プリフォーム型に与えられる重量を変更することを決定する、又は、前記仕上型を交換することを決定すること；
を含むことを特徴とする、先行する請求項に記載の方法。
【請求項２７】
前記方法は、前記サンプル容器の品質指標として前記サンプル容器の首部の幾何形状を確認するために：
-前記三次元デジタルモデル（Ｍ）において、前記サンプル容器の前記首部に少なくとも対応する内表面を規定すること；
-仮想設置平面（Ｐｒ）に平行な少なくとも１つの断平面（Ｐｇ）の位置を定めること；
-この断平面において前記内表面の複数の直径を測定し、この断平面における最小値及び／又は最大値を確認すること；
を含むことを特徴とする、請求項１２に記載の方法。
【請求項２８】
前記方法は、首部の品質指標として：
-開口における直径；
-及び／又は、穴開け直径；
-及び／又は、前記サンプル容器の内部プロファイル；
を確認することを含むことを特徴とする、先行する請求項に記載の方法。
【請求項２９】
前記方法は、前記サンプル容器の品質指標として前記サンプル容器の口天面の平坦性を確認するために：
-前記三次元デジタルモデル（Ｍ）に基づいて、前記口天面を表す閉じた三次元カーブ又は環状面を規定すること；
-前記閉じた三次元カーブ又は前記環状面に関連付けられた前記口天面の基準平面の位置を定めること；
-及び、前記基準平面と、前記閉じた三次元カーブ又は前記環状面と、の間の差を測定すること；
を含むことを特徴とする、請求項１３に記載の方法。
【請求項３０】
前記方法は、前記サンプル容器の品質指標として前記サンプル容器の本体の外直径を確認するために：
-前記三次元デジタルモデル（Ｍ）に基づいて、前記サンプル容器の少なくとも一部に対応する外表面（Ｓｅ）であって測定対象の外直径を有するものを規定すること；
-前記容器の少なくとも１つの高さに沿う、前記モデルの仮想設置平面（Ｐｒ）に平行な断平面（Ｐｄ）の位置を定めること；
-この断平面において前記外表面に関する複数の直径を測定し、それらの測定値を基準値と比較すること；
を含むことを特徴とする、請求項１４に記載の方法。
【請求項３１】
複数の別個の成形セクション（１２）であって各成形セクションにおいて溶融ガラスの少なくとも１つのゴブ（１８）が第１に少なくとも１つのプリフォーム型（１３）においてブランクへと成形されその後第２に少なくとも１つの仕上型（１４）において最終形状へと成形される複数の別個の成形セクション（１２）を有する設備を用いてガラス容器を成形するためのプロセスを制御するための装置であって、前記装置は：
-コンピュータ支援Ｘ線トモグラフィー装置（３０）であって、当該装置のサンプルホルダ上に配置されたサンプル容器の相異なる投影角度からの複数のＸ線画像を取得可能な、コンピュータ支援Ｘ線トモグラフィー装置（３０）；
-型座標系における、前記仕上型内に存する前記サンプル容器の位置を認識するための機器（３９）；
-前記機器（３９）及び前記トモグラフィー装置（３０）に接続され、以下の目的で前記Ｘ線画像を解析するように構成されたコンピュータ（３８）：
・前記Ｘ線画像に基づいて、前記サンプル容器の三次元デジタルモデル（Ｍ）を、仮想座標系において構築すること；
・機械座標系における前記サンプル容器の位置に関連付けられた前記三次元デジタルモデル（Ｍ）の位置を特定すること；
・前記三次元デジタルモデル（Ｍ）を解析し、前記サンプル容器の少なくとも１つの領域に関連する前記サンプル容器の少なくとも１つの品質指標を確認し、前記品質指標に基づいて、前記サンプル容器の前記型に関連する前記成形プロセスの少なくとも１つの制御パラメータ用の調整情報を推定することを可能にすること；
-及び、前記サンプル容器の少なくとも１つの領域に関連する前記サンプル容器の少なくとも１つの前記品質指標（Ａ）を送信するシステム（４１）；
を含むことを特徴とする、装置。
【請求項３２】
前記サンプル容器の少なくとも１つの領域に関連する前記サンプル容器の少なくとも１つの前記品質指標を送信する前記システム（４１）は、前記仕上型の識別に関連する前記品質指標用の表示システム（４２）を含むことを特徴とする、先行する請求項に記載の装置。
【請求項３３】
前記サンプル容器の少なくとも１つの領域に関連する前記サンプル容器の少なくとも１つの前記品質指標を送信する前記システム（４１）は、前記成形設備の制御システム（２３）に前記仕上型の識別に関連する前記品質指標（Ａ）を送信するための接続（４３）を含むことを特徴とする、先行する請求項に記載の装置。
【請求項３４】
前記装置は、前記サンプル容器（２）の型番号又は位置番号を前記コンピュータ（３８）に与えるシステム（４０）を含むことを特徴とする、請求項３１〜３３のいずれか一項に記載の装置。
【請求項３５】
ガラス容器を成形するための設備であって、複数の別個の成形セクション（１２）であって各成形セクションにおいて溶融ガラスの少なくとも１つのゴブ（１８）が第１に少なくとも１つのプリフォーム型（１３）においてブランクへと成形されその後第２に少なくとも１つの仕上型（１４）において最終形状へと成形される複数の別個の成形セクション（１２）を含み、前記設備は、請求項３１〜３４のいずれか一項に記載の装置（２１）であって前記仕上型の出口に配置されたものを含むことを特徴とする、設備。
【発明の詳細な説明】
【技術分野】
【０００１】
本発明は、複数の別個の成形セクションを含む成形設備を用いて、ボトル、ジャー、又はフラスコ等のガラス容器を製造する技術分野に関する。
【背景技術】
【０００２】
既知の態様で、成形設備は、複数の成形セクションであって各成形セクションが少なくとも１つのプリフォーム型及び少なくとも１つの仕上型を備えるものを含む。また、この設備は、重力により各プリフォーム型へと落下する溶融ガラスのゴブ又は可鍛性ガラスの塊の分配器を含む。溶融ガラスのゴブは、まずプリフォーム型においてブランクへと成形され、その後、最終的な成形のために仕上型に移送される。仕上型から取り出され未だに温度が約６００℃である各容器は、様々なプロセスステーション及び検査ステーションに運ばれる。
【０００３】
ガラス容器の美観に影響しより深刻には後の使用者に実際の危険を及ぼしかねない欠陥を有するガラス容器を排除するために、ガラス容器の品質を制御することが必要である。
【０００４】
ガラス容器の第１の品質指標は、ガラスの分布すなわちガラス壁の厚さの分布に関する。
【０００５】
製造される容器におけるガラスの分布は、プリフォーム型にガラスを供給する品質等の、成形プロセスの複数の制御パラメータに依存する。具体的には、プリフォーム型に対するガラスの塊の中心合わせ、塊が到達するタイミング、及び、塊が型に入るときの塊の向き／傾きは、製造される容器におけるガラスの分布に直接的に影響する。型の潤滑性及び換気性、塊の温度の分布、拡がるときの塊の変形等の他の特徴もまた、ガラスの分布に影響する。
【０００６】
さらに、型、より具体的には仕上型により、容器の形状、より正確には容器の外表面が定まる。ガラスの塊の成形により、容器を構成するガラスの量が定まる。しかしながら、容器の内表面は、プリフォーム型に供給されたガラスの塊のプリブロー又はブローにより生成され、その後、得られたブランクが仕上型においてブローされる。また、内表面は、プロセスの多くの制御パラメータに依存し、これらのパラメータにより、厚さは、最終的な容器における位置によって異なりうる。例えば、本体の垂直壁は相対的に厚い又は相対的に薄い領域を有することがあり、底部は相対的に厚いことがあり、例えば、底部の内側は平坦ではなく傾斜している又は台形であることがある。右側の半分の型に対応する肩部は、反対側部分に比べて厚いことがある。別の場合において、下側本体の厚さが増加し上側本体が犠牲となることがある。また、所与の閾値を下回る薄い部位が容器の踵部又は肩部に現れることがある。
【０００７】
ガラスの異常な分布は、正されるべき製造欠陥である。成形欠陥を、該欠陥を成形設備において可能な限り早期に正すよう該成形設備から出てきてから可能な限り早期に認識することが有利であることに留意されたい。従来技術において、成形装置から出てくる高温の容器におけるガラスの分布を制御するための様々な解決策が提案されている。
【０００８】
単純ではあるがあまり正確ではない方法は、オペレータが容器を切断し（sectionnent）その切断位置で壁の厚さ観察する、手動観察である。随意には、ノギス、タッチプローブ又はゲージにより測定値が与えられうる。この破壊的な方法は、限られた頻度で行われるものであり、あまり正確ではなく切断位置に限定された測定値を与える。
【０００９】
手動のガラス厚さセンサがある。例えば、手動のホール効果センサは、内部ボールと外面に接するセンサとの間の距離を測定する。手動のホール効果センサは、正確ではあるが手動であるに過ぎず、容器全体にわたりガラスの分布を取得するには長時間かかる。さらに、この測定は、成形プロセスを操縦中のオペレータをガイドしえない。
【００１０】
別の方法は、ベルトコンベアの出口を流れる熱い容器を、赤外線カメラにより、容器の厚い領域はより多く放射するという原理を踏まえて（en partant du principe）観察するというものである。そのため、容器の様々な部分における赤外線画像の解析は、ガラスの不均一な分布を凡そ反映している。しかしながら、温度分布の不良もまた放射を不均一にするため、オペレータも検査装置もガラスの分布に関する実際の情報を有さない。さらに、２つのカメラを用いたとしても、カメラから隠れてしまう領域が生じる。
【００１１】
ガラス容器の別の品質指標は、容器の公称容量又は全容量に関する。
【００１２】
容器の容量は、容器の縁まで又は容器の口天部（bague）の表面から所定高さ下方まで充填されたときに容器に入っている液体の最小体積である。規則又は管理規定により、容器の容量が正確に分かっていることが必要とされている。容器の実際の容量は、容器に示された容量であって例えば容器に刻まれた又は容器に貼り付けられたラベルに記載されたものに対応している必要がある。
【００１３】
容器を製造するプロセスでぶれが生じると、容器の容量が変化しうる。ガラスの体積が一定の場合、摩耗により仕上型の体積が増加すると、容器の内部の体積は増加する。型の体積が一定の場合、ガラスの体積が増加すると、容器の容量は減少する。同様に、形状の変化（本体の高さ、楕円率等）は、容器の容量に影響しうる。特許ＦＲ２７１７５７４は、型の体積特性を測定するために、ガラス製品の型の内部の体積を計測するための方法及び機器を教示する。
【００１４】
例えば、容器の容量を測定するために、ＡＧＲインターナショナル社（http://www.agrintl.com/products/view/10/Fill-Height-Tester）によって販売されている、秤量の原理に基づいた装置が知られている。この装置は、秤量台を含む。秤量台上では空の容器が支持され、該容器の底部で水平な設置平面上で重力による静的平衡状態で設置される。次に、この容器は、既知の体積重量の液体により、秤量台により画される支持面を基準とした公称レベルまで充填される。公称レベルまでの容器の充填は、公称レベルを超えて容器を充填し、ピペットであって該ピペットのオリフィスが支持面に対して公称レベルに位置するように容器の口天部の表面に支持されたものにより過剰な体積を除去することによって、なされる。この装置は、既知の温度で秤量することにより、容器の内側に実際に入った液体の量であって容器の有効容量に対応するものを測定する。
【００１５】
この装置の欠点は、上記測定にかかる時間に関する。さらに、この装置には、空の容器でなければ（si ce n'est le poids a vide du recipient）他の寸法を測定できないという欠点がある。このため、この装置は、光学式の又は機械的タッチプローブ式の自動寸法検査装置であって容器の容量を測定できないものを補足として有する（complement）。
【００１６】
文書ＵＳ２０１４／２１１９８０により、ボトルを部分的に充填する液体の体積を測定する、Ｘ線を用いた方法及び装置であって、具体的にはボトル内の液面を検知することによるものも知られている。この方法によれば、ボトル内の液体の体積を測定できる。しかしながら、この技術では、一方ではボトルの実際の容量を測定できず、他方では標準化された測定条件に従った測定ができない。
【００１７】
特許出願ＵＳ２０１０／３０３２８７には、物体が液体を含んでいるかどうかを判定するのに適したＸ線装置が記載されている。この文書によればボトルに入った液体の体積を測定できるとしても、この文書に記載された技術には特許出願ＵＳ２０１４／２１１９８０と同じ欠点がある。同様に、特許出願ＷＯ２０１３／１８５８１６には、Ｘ線を用いて容器内又は容器の内容物内の欠陥を検知する方法及びシステムが記載されている。この方法では、標準的な測定条件に従ってボトルの実際の容量を測定することができない。さらに、これらの技術は、成形設備によって実行される成形プロセスを操縦中のオペレータをガイドしえない。
【００１８】
ガラス容器の別の品質指標は、モチーフ、装飾的彫刻等の美的観点、技術的観点（内容物に関するテキスト、コード又は他の記載、型番号、ロット番号、ブランド、又は、モデル）、又は、ビード、キャップ用のねじ山、位置決めタブ、位置決めノッチ、ボトムコンタクトストライプ、ラベルパネル等の機械的観点で容器に施されたレリーフの形成に関する。
【００１９】
レリーフの形成（Le rendu des reliefs）とは、以下の観点で、平均的な面又は背景の平滑面に対してレリーフが十分であるという事実を指す：
-人間による読み取り（美的観点又は重要な情報の読み取り）；
-又は、自動読み取り（ドット又はビードの形式でコード化された曲がり部における型番号の場合（cas des numeros de moules au jable codes sous forme de points ou perles））；
-又は、容器の向きを定めるための設置用ノッチ（un cran de calage）のような機械的用途。
【００２０】
レリーフの形成は、以下の複数のパラメータに依存する：
-型の摩耗、すなわち、型の凹部の正又は負のレベルの低下；
-型の凹部を塞ぎ凹部にガラスが入るのを妨げる汚れによる、型の凹部の汚染；
-凹部の位置において冷た過ぎると粘度が高過ぎて凹部に流れ込むことができないという、ガラスの熱的特徴；
-凹部とガラスの間に捕らわれた空気を逃がすことを可能にする通気孔の閉塞、又は、通気孔への吸引接続が必要とされるときの不十分な吸引。
【００２１】
レリーフの形成の評価は、常にごく非常に限定的であり、多くの場合において視覚的かつ主観的である。手動による、光学顕微鏡による又はタッチプローブによる測定が品質部門によりまれに行われるのがせいぜいである。これらの測定値は、得られるのが遅すぎて成形プロセスの操縦中には利用できない。たいていは、レリーフの形成に関する標準化された測定の仕組みは存在しない。
【００２２】
ガラス容器の別の品質指標は、首部の内部幾何形状に関する。実際、具体的にはブローブロー法によれば、首部の内表面は、型ではなく、加圧空気によって成形される。
【００２３】
容器の将来的な使用に起因する首部の技術的制約は大きい。首部の高さにわたって最小直径が遵守されていれば、充填用の管を導入可能である。実際に、首部は、十分な直径を有する剛直な真っ直ぐなシリンダー体を入れることができる必要がある。この検査は、「開口径検査（brochage）」と呼ばれる。
【００２４】
口天面における直径又は口天面のすぐ下における直径は、「開口における直径（≪ diametre a l'ouverture ≫）」として知られている。筒状体の内直径は、口天面から所与の深さ、例えば５ｍｍにわたって測定され、この直径は上記深さにわたり許容範囲内でなければならない。これは、首部の頂部の内表面に接触することによってシールを構成する栓により容器が閉じられることが想定されている場合に必要である。
【００２５】
弾性を有する栓、例えばコルク栓、によって容器が閉じられることが意図されている場合、栓の全体の高さ、例えば５０ｍｍである、にわたり、直径は、「内部プロファイル」又は「開栓プロファイル」として知られ内直径と深さとを関連付ける関数である、所与のプロファイル（profil）を有している必要がある。
【００２６】
従来技術により、上記のような検査を実行するための様々な技術的解決策が提案されている。例えば、特許ＧＢ１４３２１２０には、容器を検査するための機器が記載されている。この検査機器は、複数の検査ステーションを含む。複数の検査ステーションの１つは、容器の口天部及び首部の寸法適合性を検査することを目的としている。この検査ステーションは、可動装置を含む。可動装置は、電動システムによって、容器の対称軸に平行な移動方向に、機器の治具に対して交互移動するように駆動される。この可動装置には、容器の首部の外側を検査するための外側カリパスと、容器の口天部及び首部の内側を検査するための内側カリパスと、が設けられている。
【００２７】
上記の既知の機器の欠点は、検査ヘッドと容器とが激しく衝撃して容器又はカリパスが損傷するリスクがあることである。このタイプの検査の別の欠点は、直径を測定するのではなく筒状体の入口を検査するに過ぎないことである。したがって、このタイプの検査では、内部プロファイルの測定はできない。
【００２８】
サンプル容器の内部プロファイルを測定するための現在の機器では、首部に、関節を有するタッチプローブを、向かい合う位置に２つ、よりまれな場合において１２０°間隔で３つ、挿入する必要がある。２つのタッチプローブは、グリッパにおける関節で繋がった複数のアームを構成している。グリッパの複数の下端部は、ばねによって内表面に接触する。複数の下端部の間隔は、内直径を与える。グリッパ及び容器は互いに対して回転させられ、３６０°にわたり複数の直径が取得され、この測定が他の深さで再度行われる。これらのタッチプローブの欠点は、遅さ、壊れやすさ、摩耗のし易さ、精度の低さである。精度の低いのは、特に、これらが円弧の弦ではなく直径を測定することが確実ではないためである。さらに、熱い容器との接触は避けるべきである。
【００２９】
容器の口天部の機能寸法、容器の口天部の表面の平坦性、容器の全体、容器の首部又は容器の本体の垂直性に関連するもの等、ガラス容器の多くの別の品質指標がある。
【００３０】
壁の外直径及び楕円率、容器の高さ、容器の本体、首部又は全体的な垂直性、口天部の平坦性、首部の内直径は、「マルチ検査」機器を用いて測定される。上記の容器測定装置は、基本的に、機械的タッチプローブ又は光学的検知のいずれかを使用することに留意されたい。当業者が考えうることとは逆に、容器が透明なガラスで作られているという事実により光学的方法で内表面を測定することが可能となるわけではない。これが、機械的タッチプローブ機器を用いた首部の内直径の測定が、他の測定が光学的である場合においても実行される理由である。
【００３１】
従来技術の検討により、ガラス容器の品質の制御は複数の検査又は測定機器の使用を必要とすることが理解される。さらに、上記の検査又は測定機器では、正確、反復的かつ迅速な測定を行うことができない。最後に、上記の検査又は測定機器では、ガラス容器を成形するための設備の制御パラメータに対してなされる修正を決定するに足りる完全な情報を提供できない。
【発明の概要】
【００３２】
本発明は、ガラス容器の品質を制御するための方法であって、単一の装置を用いて正確、反復的かつ迅速な測定を行うように設計され、成形設備におけるガラス容器を成形するためのプロセスの制御パラメータに対してなされる修正に関するより完全な情報を与えるのに適した方法を提案することにより、従来技術の欠点を改善することを目的とする。
【００３３】
本発明の別の目的は、ガラス容器の品質の特徴として、容器のガラスの分布と、容器の容量又は該ガラス容器に表されたレリーフの形成と、を制御することを可能にする新たな方法を提案することである。
【００３４】
本発明の別の目的は、単一の装置を用いて、ガラス容器の多くの他の品質指標を常時検査することを可能にする新たな方法を提案することである。
【００３５】
本発明の別の目的は、容器の品質を制御する方法であって、容器を成形するプロセスにおける任意の時間に、しかしながら有利には容器がまだ高温である容器成形後のより早いときに、行われるのに適した方法を提案することである。
【００３６】
そのような目的を達成するために、本方法は、複数の別個の成形セクションであって各成形セクションにおいて溶融ガラスの少なくとも１つのゴブが第１に少なくとも１つのプリフォーム型においてブランクへと成形され（forme）その後第２に少なくとも１つの仕上型において最終形状へと成形される（forme）複数の別個の成形セクションを有する設備を用いてガラス容器を成形するためのプロセスを制御することを目的とする。
【００３７】
本発明によれば、方法は以下の工程を含む：
【００３８】
-識別されたプリフォーム型及び識別された仕上型に由来するいわゆるサンプル容器を取り出すこと；
【００３９】
-サンプル容器を、コンピュータ支援Ｘ線トモグラフィー装置のサンプルホルダ上に設置すること；
【００４０】
-トモグラフィー装置を用いて、サンプル容器の複数のＸ線画像を、相異なる投影角度から取得すること；
【００４１】
-Ｘ線画像をコンピュータに送信すること；
【００４２】
-コンピュータに、型座標系における、仕上型内に存する容器の位置を与えること；
【００４３】
-コンピュータを用いてＸ線画像を解析して：
*Ｘ線画像に基づいて、サンプル容器の三次元デジタルモデルを、仮想座標系において構築し；
*型座標系におけるサンプル容器の位置に関連付けられた三次元デジタルモデルの位置を特定すること；
【００４４】
-及び、三次元デジタルモデルを解析して、サンプル容器の少なくとも１つの領域に関連するサンプル容器の少なくとも１つの品質指標を確認し、品質指標に基づいて、サンプル容器の型に関連する成形プロセスの少なくとも１つの制御パラメータ用の調整情報（une information d'ajustement）を推定することを可能にすること。
【００４５】
-加えて、本発明に係る方法は、さらに、以下の追加の特徴の少なくとも１つの及び／又は他を組み合わせて含みうる：
【００４６】
-型座標系におけるサンプル容器の位置に関連付けられた三次元デジタルモデルの位置を特定するために、オペレータにより行われる方法は、サンプル容器における参照レリーフの位置を特定すること（a reperer un relief de reperage）と、サンプル容器のサンプルホルダ上への設置を、サンプルホルダを参照する視覚的又は機械的な機器（un dispositif de reperage visuel ou mecanique du porte echantillon）に関連付けられてサンプル容器の参照レリーフが配置される態様で行うことと、を含む；
【００４７】
-型座標系におけるサンプル容器の位置に関連付けられた三次元デジタルモデルの位置を特定するために、他の方法は以下を含む：
*サンプル容器における参照レリーフであって型座標系における位置が分かっているものを選択すること；
*三次元デジタルモデルにおいて、選択された参照レリーフに対応する仮想参照レリーフを設ける（localiser）こと；
*仮想座標系における仮想参照レリーフの位置を特定し、特定された仮想参照レリーフの位置に基づいて、型座標系における三次元デジタルモデルの位置を推定すること；
【００４８】
-三次元デジタルモデルを構築するための有利な変形例では、方法は、サンプルホルダ上におけるサンプル容器の仮想設置平面に対して垂直に延びる仮想垂直軸を有するように、サンプルホルダを考慮することと、型座標系における参照レリーフの位置に対応する位置に仮想参照レリーフを移動させるために、三次元デジタルモデルの、仮想垂直軸周りの相対回転を実行することと、を含む；
【００４９】
-取り出されたサンプル容器が由来するプリフォーム型及び／又は仕上型を型番号又は位置番号に基づいて識別し、この型番号又は位置番号をサンプル容器の品質指標に関連付けて利用可能とすることが有利である；
【００５０】
-サンプル容器であってコードの形式又はアルファベットと数字を組み合わせた形式で型番号又は位置番号を示すレリーフを保持するものが由来するプリフォーム型及び／又は仕上型を識別するために、方法は、以下を含む：
*サンプル容器によって保持されたレリーフを読み取り、読み取った番号をコンピュータに伝達すること；
*又は、サンプル容器の三次元デジタルモデルを、サンプル容器のレリーフに対応する仮想レリーフの位置を検索することにより解析し、この仮想レリーフを読み取ってコンピュータに利用可能とすること；
【００５１】
-好ましい適用例では、サンプル容器は、遅くとも、設備のアニーリングアーチに入る前に取り出される；
【００５２】
-有利には、方法は、サンプル容器の品質指標を確認し、識別された型に関する容器を成形するプロセスの少なくとも１つの制御パラメータ用の調整情報を、以下の中から推定することを可能にすることを含む：
*識別されたプリフォーム型に供給されるガラスゴブの重量又は形状；
*識別されたプリフォーム型に供給される際のガラスゴブの位置又は速度；
*ブロープランジャー（poincons de percage）、識別された型、ブランクの移送、取り出しグリッパのメカニズムの動きにおける、同期、速度、又は力；
*識別された型又は関連付けられたプランジャーの冷却；
*識別された型に関するブロー又は押し付けの圧力；
*識別された型の交換。
【００５３】
-例示的な適用例では、方法は、サンプル容器の品質指標として、サンプル容器のガラスの分布を確認することを含む；
【００５４】
-他の例示的な適用例では、方法は、サンプル容器の品質指標として、サンプル容器の少なくとも１つの体積の測定値であってサンプル容器の容量、サンプル容器の包絡体の体積（le volume de l'enveloppe du recipient echantillon）及びサンプル容器のガラスの体積の中から選択されるものを確認することを含む；
【００５５】
-他の例示的な適用例では、方法は、サンプル容器の品質指標として、サンプル容器に施されたレリーフの形成を確認することを含む；
【００５６】
-他の例示的な適用例では、方法は、サンプル容器の品質指標として、サンプル容器の首部の内部幾何形状を確認することを含む；
【００５７】
-他の例示的な適用例では、方法は、サンプル容器の品質指標として、サンプル容器の口天面の平坦性を確認することを含む；
【００５８】
-他の例示的な適用例では、方法は、サンプル容器の品質指標として、サンプル容器の本体の複数の外直径を確認することを含む；
【００５９】
-サンプル容器の品質指標としてガラスの分布を確認するために、方法は、三次元デジタルモデルの又は当該モデルの一部の質量中心の位置を確認することと、質量中心の位置を基準位置と比較することと、を含む；
【００６０】
-サンプル容器の品質指標としてガラスの分布を確認するために、方法は、サンプル容器の少なくとも１つの領域にわたるガラスの壁の厚さを、この領域において所定の値よりも大きい厚さを有する部位の位置及び／又は所定の値よりも小さい厚さを有する部位の位置を検索することにより（en）、随意には上述の部位の拡がりを確認することにより（en）、及び／又は、上記領域において最小厚さ又は最大厚さを示す壁における部分の存在及び位置を検索することにより（en）、確認することを含む；
【００６１】
-サンプル容器の品質指標としてガラスの分布を確認するために、方法は、以下を含む：
*三次元デジタルモデルの仮想垂直軸を含む垂直断面の平面によって、又は、上記仮想垂直軸に直交する水平断面の平面によって区切られた、三次元デジタルモデルの少なくとも２つの領域に含まれたガラスの体積を確認すること；
*及び、上記体積を基準体積の値と比較すること、及び／又は、上記体積を同一サンプル容器の複数領域間で比較すること、及び／又は、上記体積を複数のサンプル容器間で比較すること；
【００６２】
-サンプル容器の品質指標としてサンプル容器に施されたレリーフの形成を確認するために、方法は、以下を含む：
*サンプル容器の三次元デジタルモデルにおける少なくとも１つの断平面の位置を、該断平面が上記モデルの外表面の仮想レリーフの少なくとも一部を切断する（sectionne）ように定めること；
*断平面において、仮想レリーフの部分の代表カーブを規定すること；
*代表カーブに少なくとも部分的にゼロ高さカーブを重畳すること、ここで、ゼロ高さカーブは上記仮想レリーフを除いたサンプル容器の外表面のカーブを表す；
*レリーフ形成指標として以下の数量の少なくとも１つを計算することにより、代表カーブをゼロ高さカーブと比較すること：
・代表カーブとゼロ高さカーブとの間の距離；
・所与の位置における代表カーブとゼロ高さカーブとの間の傾斜の差；
・代表カーブの傾斜の変化；
・代表カーブ及びゼロ高さカーブにより区画された面積；
【００６３】
-サンプル容器の品質指標としてサンプル容器に施されたレリーフの形成を確認するために、変形例は、以下を含む：
*レリーフの代表表面を、仮想レリーフの少なくとも一部を含む対象となる部位における三次元デジタルモデルの外表面の一部として規定すること；
*対象となる部位の外表面に少なくとも部分的に、当該仮想レリーフを除いた対象となる部位の表面を表すゼロ高さ表面を重畳すること；
*レリーフ形成指標として以下の数量の少なくとも１つを計算することにより、代表表面をゼロ高さ表面と比較すること：
・ゼロ高さ表面と代表表面との間の距離；
・所与の位置におけるゼロ高さ表面と代表表面との間の傾斜の差；
・代表表面の傾斜の変化；
・ゼロ高さ表面及び代表表面により区画された複数の体積；
【００６４】
-サンプル容器の品質指標としてサンプル容器に施されたレリーフの形成を確認するために、他の変形例は、以下を含む：
*仮想レリーフの代表表面を、サンプル容器のレリーフに対応する仮想レリーフの少なくとも一部を含む対象となる部位における三次元デジタルモデルの外表面の一部（une portion de surface externe）として規定すること；
*対象となる部位の外表面に少なくとも部分的に、仮想レリーフが正しく形成されている場合における対象となる部位の表面を表す理論的レリーフ表面を重畳すること；
*レリーフ形成指標として以下の数量の少なくとも１つを計算することにより、代表表面を理論的表面と比較すること：
・代表表面と理論的表面との間の距離；
・所与の位置における表面間の傾斜の差；
・それらの表面により区画された複数の体積；
【００６５】
-サンプル容器の品質指標としてサンプル容器に施されたレリーフの形成を確認するために、他の変形例は、以下を含む：
*三次元デジタルモデルにおいて、技術的観点によるレリーフであって位置が既知であるものに対応する仮想レリーフを選択すること；
*断平面の位置を、該断平面がデザイン平面に対応する断平面において上記レリーフを切断するように定めること；
*仮想レリーフの部分の代表カーブ（la section du relief virtuel）を取得すること；
*この代表カーブにおいて、曲率半径、角度、長さ、及び／又は、ゼロ高さカーブまでの距離を測定すること；
*測定値を、所定の許容値と比較すること；
【００６６】
-サンプル容器の品質指標としてサンプル容器の容量を確認するために、方法は、以下を含む：
*サンプル容器の三次元デジタルモデルの内表面を規定すること；
*サンプル容器の三次元デジタルモデルにおける充填レベル平面を規定すること、ここで、充填レベル平面は、仮想口天面の平面又は公称充填レベル平面である；
*及び、内表面及び充填レベル平面により区画された、サンプル容器の三次元デジタルモデルの内部体積を、計算により測定すること、ここで、この測定値は、サンプル容器の容量である；
【００６７】
-サンプル容器の品質指標としてサンプル容器の包絡体の体積を確認するために、方法は、以下を含む：
*サンプル容器の三次元デジタルモデルの外表面を規定すること；
*体積閉平面（un plan fermeture de volume）を、口天面の平面又は口天部型の継目における下方平面（le plan de surface de bague ou le plan inferieur de joint de moule de bague）として規定すること；
*及び、外表面と閉平面とにより区画された内部体積を、サンプル容器の包絡体の体積として、計算により測定すること；
【００６８】
-サンプル容器の品質指標としてサンプル容器のガラスの体積を確認するために、方法は、サンプル容器の三次元デジタルモデルの壁の体積を確認することを含む；
【００６９】
有利な変形例は、識別されたプリフォーム型であってそのブランクはサンプル容器が由来する仕上型に移送されたものに供給されたゴブのガラスの体積に対応する体積を取得するために、内表面と外表面との間の材料欠陥に対応する泡を検索することにより三次元デジタルモデルを解析することと、上記泡の体積を測定することと、を含み、その体積が、内表面と外表面との間で規定される三次元デジタルモデルの壁の体積から差し引かれる；
【００７０】
-有利な適用例では、方法は、以下を含む：
*三次元デジタルモデルのガラスの体積は、プリフォーム型へと供給されたゴブの体積の測定値であると考えること、ここで、材料欠陥は考慮する又は考慮しない；
*三次元デジタルモデルの外表面及び閉平面により区画される内部体積は、仕上型の内部体積の測定値であると考えること；
*三次元デジタルモデルの内表面及び充填レベル平面により区画される体積は、サンプル容器の容量の測定値であると考えること；
*サンプル容器の容量の測定値及び仕上型の内部体積の測定値から、サンプル容器が由来するプリフォーム型に供給されたゴブの体積を推定すること；
*及び、サンプル容器の容量が不適合である（n'est pas conforme）場合には、ゴブの重量であって少なくともサンプル容器が由来するプリフォーム型に与えられる重量を変更することを決定する、又は、仕上型を交換することを決定すること；
【００７１】
-サンプル容器の品質指標としてサンプル容器の首部の幾何形状を確認するために、方法は、以下を含む：
*三次元デジタルモデルにおいて、サンプル容器の首部に少なくとも対応する内表面を規定すること；
*仮想設置平面に平行な少なくとも１つの断平面の位置を定めること；
*この断平面において内表面の複数の直径を測定し、この断平面における最小値及び／又は最大値を確認すること；
【００７２】
-有利には、方法は、首部の幾何形状の指標として以下を確認するという目的を有する：
*開口における直径；
*及び／又は、穴開け直径（le diametre de brochage）；
*及び／又は、サンプル容器の内部プロファイル；
【００７３】
-サンプル容器の品質指標としてサンプル容器の口天面の平坦性を確認するために、方法は、以下を含む：
*三次元デジタルモデルに基づいて、口天面を表す閉じた三次元カーブ又は環状面を規定すること；
*閉じた三次元カーブ又は環状面に関連付けられた口天面の基準平面の位置を定めること；
*及び、基準平面と、閉じた三次元カーブ又は環状面と、の間の差を測定すること；
【００７４】
-サンプル容器の品質指標としてサンプル容器の本体の外直径を確認するために、方法は、以下を含む：
*三次元デジタルモデルに基づいて、サンプル容器の少なくとも一部に対応する外表面であって測定対象の外直径を有するものを規定すること；
*容器の少なくとも１つの高さに沿う、モデルの仮想設置平面に平行な断平面の位置を定めること；
*この断平面において外表面に関する複数の直径を測定し、それらの測定値を基準値と比較すること。
【００７５】
本発明に係る方法により、ガラスの分布等の従来不可能であった測定又は別の装置を伴う測定（容量の検査及び型の計測）に加えて、従来のタッチプローブ及び／又は光学センサを用いたガラス製造用の計測装置によりなされる全ての測定を行うことが可能となる。
【００７６】
また、本発明は、複数の別個の成形セクションであって各成形セクションにおいて溶融ガラスの少なくとも１つのゴブが第１に少なくとも１つのプリフォーム型においてブランクへと成形されその後第２に少なくとも１つの仕上型において最終形状へと成形される複数の別個の成形セクションを有する設備を用いてガラス容器を成形するためのプロセスを制御するための装置に関する。
【００７７】
本発明では、装置は以下を含む：
【００７８】
-コンピュータ支援Ｘ線トモグラフィー装置であって、当該装置のサンプルホルダ上に配置されたサンプル容器の相異なる投影角度からの複数のＸ線画像を取得可能な、コンピュータ支援Ｘ線トモグラフィー装置；
【００７９】
-型座標系における、仕上型内に存するサンプル容器の位置を認識するための機器；
【００８０】
-機器及びトモグラフィー装置に接続され、以下の目的でＸ線画像を解析するように構成されたコンピュータ：
*Ｘ線画像に基づいて、サンプル容器の三次元デジタルモデルを、仮想座標系において構築すること；
*機械座標系におけるサンプル容器の位置に関連付けられた三次元デジタルモデルの位置を特定すること；
*三次元デジタルモデルを解析し、サンプル容器の少なくとも１つの領域に関連するサンプル容器の少なくとも１つの品質指標を確認し、品質指標に基づいて、サンプル容器の型に関連する成形プロセスの少なくとも１つの制御パラメータ用の調整情報を推定することを可能にすること；
【００８１】
-及び、サンプル容器の少なくとも１つの領域に関連するサンプル容器の少なくとも１つの品質指標を送信するシステム。
【００８２】
加えて、本発明に係る装置は、以下の追加の特徴の少なくとも１つ及び／又は他を組み合わせてさらに含んでいてもよい：
【００８３】
-サンプル容器の少なくとも１つの領域に関連するサンプル容器の少なくとも１つの品質指標を送信するシステムは、仕上型の識別に関連する（en relation de l'identite）品質指標用の表示システムを含む；
【００８４】
-サンプル容器の少なくとも１つの領域に関連するサンプル容器の少なくとも１つの品質指標を送信するシステムは、成形設備の制御システムに仕上型の識別に関連する品質指標を送信するための接続を含む；
【００８５】
-サンプル容器の型番号又は位置番号をコンピュータに与えるシステム。
【００８６】
また、本発明は、ガラス容器を成形するための設備であって、複数の別個の成形セクションであって各成形セクションにおいて溶融ガラスの少なくとも１つのゴブが第１に少なくとも１つのプリフォーム型においてブランクへと成形されその後第２に少なくとも１つの仕上型において最終形状へと成形される複数の別個の成形セクションを含む設備に関する。
【００８７】
本発明では、設備は、本発明に係る装置であって仕上型の出口に配置されたものを含む。
【００８８】
様々な他の特徴は、非限定的な例として、本発明の主題の実施形態を示す添付の図面を参照して以下に与えられる説明から明らかになる。
【図面の簡単な説明】
【００８９】
【図１】図１は、本発明に係る検査装置であって例示的に容器を成形する設備の出口に配置されものを示す概略上面図である。
【図２】図２は、横軸Ｘに沿う側面視において、型の設備であってそれ自体公知であるものを概略的に示す。
【図３】図３は、ガラス容器を成形した直後における、開かれた状態にあるプロセスにおける仕上型を示す概略上面図である。
【図４】図４は、コンピュータ支援トモグラフィー装置を用いて得られる容器の三次元デジタルモデルの例の概略斜視図である。
【図４Ａ】図４Ａは、容器のモデルに由来するコードの画像の例を示す平面図である。
【図５】図５は、容器の三次元デジタルモデルの例の概略断面立面図である。
【図６】図６は、仮想座標系において２つの特徴的な位置にある三次元デジタルモデルの上面図である。
【図７】図７は、仮想座標系において２つの特徴的な位置にある三次元デジタルモデルの上面図である。
【図８】図８は、質量中心に対する質量中心の位置を示す三次元デジタルモデルの断面立面図である。
【図９】図９は、質量中心に対する質量中心の位置を示す三次元デジタルモデルの断面立面図である。
【図１０】図１０は、三次元デジタルモデルの仮想垂直軸Ｚｖを通る概略断面立面図であって、ガラスの体積Ｖｒの仮想垂直軸Ｚｖに沿った分布を与えるものである。
【図１１】図１１は、三次元デジタルモデルの仮想垂直軸Ｚｖを通る概略平面図であって、８つの部位Ａ〜Ｈに区分されたガラスの体積の分布を与えるものである。
【図１２】図１２は、容器の容量の定義を説明する、容器の概略図である。
【図１３Ａ】図１３Ａは、容器の三次元デジタルモデルの図である。
【図１３Ｂ】図１３Ｂは、図１３Ａの線Ｃ−Ｃに沿った断面図であり、レリーフの形成の検査の方法を示す。
【図１３Ｃ】図１３Ｃは、図１３Ａの線Ｃ−Ｃに沿った断面図であり、レリーフの形成の検査の方法を示す。
【図１３Ｄ】図１３Ｄは、図１３Ａの線Ｃ−Ｃに沿った断面図であり、レリーフの形成の検査の方法を示す。
【図１４】図１４は、三次元デジタルモデルの断面図であって、容器の首部を示し、容器の首部の内部幾何形状を検査する方法を説明する。
【図１４Ａ】図１４Ａは、仮想座標系の垂直軸Ｚｖに沿った首部の内直径Ｄｉの値を表すグラフである。
【図１５】図１５は、三次元デジタルモデルの断面図であって、容器の首部を示し、容器の口天部の表面の平坦性を検査するための方法を説明する。
【図１６】図１６は、容器の三次元デジタルモデルの斜視図であって、容器の本体の外直径を検査するための方法を説明する。
【発明を実施するための形態】
【００９０】
図１により正確に示すように、本発明の主題は、装置１に関する。装置１により、全てのタイプの製造又は成形設備３であってそれ自体既知であるものにより生成される透明又は半透明のガラス容器２を成形するプロセスを制御することが可能となる。成形設備３の出口において、例えばガラスボトル又はフラスコ等である容器２は、高温であり、典型的には３００℃〜６００℃である。
【００９１】
既知の態様で、設備３によって成形された直後の容器２は、搬出ベルトコンベア５に順次配置され、容器の列をなす。容器２が様々な処理ステーションに、具体的にはアニーリングアーチ６に順次送られるように、容器２は列になってベルトコンベア５によって搬送方向Ｆに搬送される。アニーリングアーチ６の上流にはコーティングフード７が配置されており、通常は、コーティングフード７は成形後の最初の処理ステーションである。
【００９２】
図１〜図３に、成形設備３の例示的な実施形態を示す。成形設備３は、それ自体既知であり、成形設備３に関連付けて本発明に係る装置１の動作の理解できるようにするために簡単に説明される。
【００９３】
設備３は、複数の別個の成形セクション１２を含み、複数の成形セクション１２の各々は、少なくとも１つのプリフォーム型１３と、少なくとも１つの仕上型１４と、を含む。設備３は、可鍛性ガラスのしたがって熱いガラスの源１６と、重力によって可鍛性ガラスのゴブ１８を各プリフォーム型１３に分配するガラスゴブの分配器１７と、を含む。既知の態様では、可鍛性ガラスの源１６は溶融ガラスが供給されるタンクであり、その底部には１〜４つの円形の開口を含む槽がある。高さが調整される回転チューブが槽の上方でガラスの流量を制御し、前後に動く１〜４つのプランジャーのシステムが槽の１〜４つの開口を介してガラスを、重力により１〜４つの線状の可鍛性ガラスを並列に供給するように、押し出す。可鍛性ガラスの線状体は、最終的には、ハサミのシステム（systeme de ciseaux）１９によって、独立した塊に分離される。ハサミのシステム１９は、熱いガラスの源１６の出口に配置されており、一定の間隔で駆動され、源１６由来の可鍛性ガラスを断片（troncons）へと切断する。
【００９４】
複数の（最大４つ）成形キャビティをセクション毎に含む装置では、複数の断片を並列して同時に供給してもよい。本明細書では、ゴブ１８という用語は、ハサミシステム１９によって得られる、可鍛性ガラスの押し出された塊又は断片を指す。可鍛性ガラスは、ハサミシステム１９によって切断される時点では、通常は９００℃を超える温度であり、例えば１１００℃〜１３００℃の温度である。このゴブは、概括的には可鍛性ガラスの中実のシリンダー体であり（est globalement un cylindre plein de verre malleable）、その体積及び長さは、源１６の調整とハサミシステム１９の切断とによって規定される。実際、ゴブの直径は、槽の開口の直径によって規定される。流量は、全体的な流量に作用するチューブの高さと、槽の各開口用の流量を個別に変化させることができる１〜４つのプランジャーの動きと、の両方によって制御される。ハサミシステム１９の２つの駆動の間の時間間隔により、ゴブの長さが規定される。概括的には、各ゴブの長さ、重量及び体積は、源１６（チューブ及びプランジャー）及びハサミシステム１９のパラメータにより規定される。溶融ガラスの源１６は、プリフォーム型１３の上方に配置されており、ゴブを、重力により分配し、プリフォーム型１３の上面に設けられた開口２２を介して供給することが可能となっている。
【００９５】
分配器１７は、熱いガラスの源１６と、各成形セクションにおけるプリフォーム型１３との間の複数の枝路に沿って延びている。通常、熱いガラスの源１６は、ハサミシステム１９を用いて、１つの成形セクションにおけるプリフォーム型（又は（respectivement）仕上型）と同じ数のゴブを同時に供給する。したがって、成形セクションには、ゴブが次々と連続して供給されることが理解される。
【００９６】
このように、分配器１７は、ハサミシステム１９によって切断されたゴブを収集し、それらを、各成形セクション１２の各プリフォーム型１３へと、対応する供給路に沿って導く。相異なるプリフォーム型１３の供給路は、共用部分と専用部分とを含む。１つの専用部分は、１つのプリフォーム型１３に対応する供給路の一部であり、分配器によって当該プリフォーム型に向けられたゴブのみが通る。
【００９７】
そのため、分配器１７は、旋回してゴブを案内する一種のシュート又はシュートの集まりである分岐手段を含む。分岐手段は、シュートと、経路の端でプリフォーム型の上方に位置するデフレクタと、を含む。具体的には、関連するプリフォーム型に相対的なデフレクタの位置により、各ゴブが該プリフォーム型へと供給される位置及び向きが部分的に定められる。分配器では、シュート、デフレクタ及び分岐器により、ゴブの供給路が定められる。
【００９８】
ガラス容器を成形するための設備では、充填とその後の押圧及び/又はブローの連続的な工程とを組み合わせた様々なプロセスが実行される。説明を明確にする観点から、プレスブロー又はブローブローとして知られている既知のプロセスに従って容器を成形する例を挙げる。
【００９９】
容器を成形するための設備において、各成形セクション１２は、複数の型、例えば２つの型を含んでいてもよい。複数の型の１つはプリフォーム型１３であり、他の１つは仕上型１４である。各セクション１２は、１組のプリフォーム型と、１組の関連する仕上型と、を含んでいてもよい。この例では、所与のゴブが、分配器１７によりプリフォーム型、例えば成形セクションのプリフォーム型１３である、に案内され、プリフォーム型において圧縮空気のブロー又はプランジャーの挿入により行われる初期ブロー（percage）として知られる第１の成形処理に供されることが理解される。その後、搬送システム（図示せず）により、第１の成形処理に供されたゴブすなわちブランクであってプリフォーム型１３内に存するものが、取り出され、仕上型１４へと入れられる。仕上型１４において、ブランクはいわゆる仕上処理である少なくとも１つの第２成形処理に供されうる。通常、成形セクションの各プリフォーム型は２つの半分の型１３ａ、１３ｂを含み、２つの半分の型１３ａ、１３ｂは、該半分の型１３ａ、１３ｂが閉じた状態で接触する合わせ面Ｐに垂直な方向に、互いに対して移動可能である。また、成形セクションの各仕上型は２つの半分の型１４ａ、１４ｂを含み、２つの半分の型１４ａ、１４ｂは、該半分の型１４ａ、１４ｂが閉じた状態で接触する合わせ面Ｐに垂直な方向に、互いに対して移動可能である。図示の例では、合わせ面Ｐは、垂直方向Ｚ及び横方向Ｘに拡がっている。
【０１００】
１つのセクション１２が、単一の仕上型１４を含み、その仕上型１４が単一のプリフォーム型１３からブランクを受け取ってもよい。しかしながら、上述のように、相異なる成形セクション１２の各々は、少なくとも２つの別個の仕上型１４と、同じ数のプリフォーム型１３と、を含んでいてもよい。図では、横方向Ｘに垂直な縦方向Ｙに沿ってずらされた４つの成形セクション１２の例を示す。この例では、各成形セクション１２は、前方、中央、及び後方に（又は、外側、中央及び内側に）３つのプリフォーム型１３を含み、３つのプリフォーム型１３の各々は、それぞれ前方、中央、及び後方にある仕上型１４に関連付けられている、すなわち各仕上型１４はプリフォーム型１３からのブランクを受け取る。図示の例では、同じセクションにおける相異なるプリフォーム型１３は互いに横方向Ｘにずらされ、同じセクションにおける相異なる仕上型１４は互いに横方向Ｘにずらされている。図示の例では、同じセクションの仕上型１４は、同一形状でありそのため通常は同一の容器を成形することを目的としているが、形状及び重量は異なっていてもよい。
【０１０１】
成形設備において、各仕上型１４は、他の仕上型１４から区別して（par rapport aux）識別されることに留意されたい。同様にして、成形設備において、各プリフォーム型１３は識別される。このため、各容器２が由来する成形セクション１２、プリフォーム型１３及び仕上型１４を識別することが可能である。
【０１０２】
ガラス容器を成形する設備において、各セクションの各プリフォーム型１３の位置は、様々な採用可能な取り決めに従って、数字又は文字等の識別子を有する。例えば、図１に示す設備の第２セクションの３つの位置は、文字ａ、ｂ及びｃで識別でき、そのため、位置２ａ、２ｂ及び２ｃにより、セクション番号２における前方、中央及び後方の型をそれぞれ指し示すことができる。これらの識別子は、明細書の以下では、「位置番号」と呼ばれる。
【０１０３】
さらに、底部又は本体の仕上型は、容器２にレリーフの態様で型の番号、例えば１〜９９又は１〜１２８等の番号である、を印字する（imprimer）ための凹部（empreinte）を有していてもよい。位置番号と型番号の間の対応表は、オペレータ又は設備のＩＴシステムにより常時利用可能である。ある設備では、成形直後のまだ熱い各容器に対して型番号又は位置番号を示すコードを印字するために、特許ＥＰ２１１４８４０Ｂ１に記載されているようなレーザーマーカーが使用される。
【０１０４】
容器は、通常、コード化された形式（バーコード、ドットコード、Ｄａｔａｍａｔｒｉｘコード）又はアルファベットと数字を組み合わせた形式の、型番号又は位置番号を示すのもの有する。ＥＰ１０１０１２６、ＥＰ２２９７６７２、又はＥＰ２９９２３１５に記載されているように、容器により保持された上記の型番号又は位置番号を再度読み取るための、製造ライン用の様々な光学読み取りシステムがある。
【０１０５】
本明細書では、サンプル容器が由来する仕上型を識別することは、位置番号又は型番号を認識することに相当することが理解される。仕上型を識別することにより、ブランクを供給する関連するプリフォーム型を直接的に識別することが可能となることが理解される。
【０１０６】
上述の説明から、各プリフォーム型１３及び各仕上型１４が型座標系Ｘ、Ｙ、Ｚを有し、型座標系により各容器の位置を正確に特定することが可能であることは明らかである（図１及び３）。換言すると、製造された各容器２の位置は、各容器２が由来するプリフォーム型１３及び仕上型１４の上記型座標系Ｘ、Ｙ、Ｚにより特定されうる。垂直軸Ｚは容器の首部の軸を通る容器の対称軸であり、横軸Ｘは型の合わせ面に含まれ、そのためＸＺ平面は型の合わせ面Ｐと呼ばれる。縦軸Ｙの正は、仕上型１４及び搬出ベルトコンベア５の側である成形設備の前方にいる観察者Ｏから見て、型の右半分の殻体の側に位置している。
【０１０７】
通常な意味では、成形設備において、ゴブの成形、ハサミによる切断、型の移動、プランジャーの動き、ブロー、移送等の運転の制御及び同期は、制御システム２３を用いて行われる。これにより、容器を成形するプロセスを実装するための設備を動作させるのに必要な様々な機械を操縦すること可能となる。
【０１０８】
本発明に係る制御方法の特徴によれば、仕上型１４に由来するいわゆるサンプル容器２は、その仕上型１４から出てきて取り出されたものである。サンプル容器２は、成形後において様々な処理ステーションのあらゆる箇所で取り出される。有利な実装例の特徴によれば、サンプル容器２は、遅くとも、設備のアニーリングアーチに入る前に取り出される。この例では、サンプル容器２は、高温であり、典型的には３００〜６００℃である。サンプル容器が由来する仕上型１４は上述のように識別される、すなわち、この仕上型１４が属する成形セクション１２が認識され、この仕上型１４に供給されたブランクを成形したプリフォーム型１３が同様に識別されることに留意されたい。
【０１０９】
このサンプル容器２は、本発明に係る制御装置１により、より正確にはこの装置の一部を構成するコンピュータ支援Ｘ線トモグラフィー装置３０により検査されることが想定されている。典型的には、このコンピュータ支援Ｘ線トモグラフィー装置３０は、サンプル容器２がセットされるサンプルホルダ３１を含む。
【０１１０】
図１においてより正確に示されているように、コンピュータ支援Ｘ線トモグラフィー装置３０は、通常の態様で、Ｘ線の漏れ防止性を有するチャンバ内に、放射焦点（son foyer d'emission）からＸ線を生成するための少なくとも１つの源３２と、Ｘ線に感応する少なくとも１つの線形センサ３３又はマトリクスセンサ３３と、を含む。装置３０のサンプルホルダ３１は、サンプル容器２のための機械的設置平面Ｐｐとして機能し、源３２とセンサ３３との間にサンプル容器２を配置するように適合されている。配置された後に、サンプル容器はＸ線により照射される。吸収及び拡散により、サンプル容器２の材料は、自身を通過するＸ線を、原子量及び通過される材料の厚さに応じて減衰させる。サンプル容器２が空であれば、サンプル容器の材料のみがＸ線を減衰させる。サンプル容器２から見て放射管（tube）の反対側に配置されＸ線に感応するセンサ３３は、減衰されたＸ線を受け、容器の材料のみによる減衰の画像すなわちサンプル容器２の壁のＸ線画像Ｉを得る（delivre）。
【０１１１】
また、装置３０は、サンプル容器２と、源３２−センサ３３対との間の相対移動を生じさせるためのシステム３５を含む。従来の態様で、このシステム３５は、固定されたままの源３２−センサ３３対に対してサンプル容器２を既知の値だけ移動させる。有利には、この移動システム３５により、サンプル容器のその回転軸周りの回転が実現される。この回転軸は、サンプル容器の対称垂直軸と一致していることが望ましいが、このことは必須ではない。
【０１１２】
また、装置３０は、源３２、センサ３３及び移動システム３５を制御する制御ユニット３６を含む。これにより、当該装置を動作させること及びＸ線画像を取得することが可能となっている。この制御ユニット３６により、可変角度でのサンプル容器の投影が行われるように源３２及びセンサ３３に対するサンプル容器２の既知の相対的な移動が実現される。制御ユニット３６により、複数のＸ線画像がこの移動中に取得される。サンプル容器２は、Ｘ線画像の取得と取得の間に、各Ｘ線画像が相互に異なる方向に関するサンプル容器の投影像となるように、移動させられる。空のサンプル容器２の取得されたＸ線画像は、解析及び処理のためにコンピュータ３８に送信される。
【０１１３】
センサ３３の視野がサンプル容器２のサイズよりも高くてもよいことに留意されたい。移動システム３５が制御されることにより、移動システム３５の上にあるサンプル容器２が回転させられる。この回転は、典型的には１回転である。そして、ユニット３６により、３６０°の回転にわたり、容器の相異なる投影像が取得される。
【０１１４】
別の変形実施形態では、センサ１２の視野は、サンプル容器２のサイズよりも低くてもよい。この例では、移動システム３５は、サンプル容器２全体の走査による解析のために、サンプル容器２と源３２及び／又はセンサ３３との間の相対的な垂直並進移動を実現するようにも設計されている。
【０１１５】
例えば、移動システム３５により、移動システム３５上におけるサンプル容器２の回転と、固定されたままの源３２−センサ３３対に対するサンプル容器２の垂直並進移動と、が実現される。センサ３３が水平視野の線形センサである場合、ユニット３６が移動システムを駆動することにより、サンプル容器の上端がセンサ３３の視野内に配置されるようサンプル容器２が配置される。次に、ユニット３６により、サンプル容器２の回転が１回転にわたり操縦され、この回転中にセンサにおいてサンプル容器の投影像が取得される。移動システム３５により、サンプル容器が逐次的に下向きに並進移動させられ、その後、移動システム３５上でサンプル容器が回転しサンプル容器の投影像が取得される。移動工程及び取得工程は、サンプル容器２の下端がセンサ３３の視野内に配置されるまで繰り返される。
【０１１６】
あるいは、センサ３３が水平視野の線形センサである場合、ユニット３６は、軸周りの回転と当該軸に沿った並進移動とを連続的に組み合わせた螺旋運動を容器に与えるように、移動システムを操縦してもよい。これにより、サンプル容器２の多数のＸ線画像又は投影像が取得されうる。
【０１１７】
上述のような、既知のコンピュータ支援Ｘ線トモグラフィー装置３０が、Ｅａｓｙ  Ｔｏｍという商品名でＲＸ  ＳＯＬＵＴＩＯＮＳ社から販売されている。
【０１１８】
上記のコンピュータ支援Ｘ線トモグラフィー装置３０はコンピュータ３８に接続されており、コンピュータ３８は相異なる投影角度からのサンプル容器２のＸ線画像を保持する。コンピュータ３８は、Ｘ線画像を解析するようプログラムされており、本発明に係る検査方法を実装する。
【０１１９】
コンピュータ３８は、識別された仕上型１４内のサンプル容器２の型座標系Ｘ、Ｙ、Ｚにおける位置を認識するための機器３９に接続されていることに留意されたい。換言すると、コンピュータ３８は、識別された仕上型１４内のサンプル容器２の型座標系Ｘ、Ｙ、Ｚにおける位置に関する情報を受信する。
【０１２０】
コンピュータ３８は、Ｘ線画像の解析を、Ｘ線画像に基づいてサンプル容器２の三次元デジタルモデルＭを仮想座標系Ｘｖ、Ｙｖ、Ｚｖにおいて構築する（図４及び５）ように行うように構成又はプログラムされている。サンプル容器２が空であるときにＸ線画像が取得されるため、Ｘ線画像Ｉでは空気に対してサンプル容器の材料のみがコントラストされ、空気による減衰はサンプル容器を構成するガラスによる減衰に比較して無視できる。また、三次元デジタルモデルＭは、サンプル容器２の外表面に対応する外表面Ｓｅと、サンプル容器２の内表面に対応する内表面Ｓｆと、を有する。
【０１２１】
三次元デジタルモデルＭの構築は、当業者に既知の適切な態様で実行される。典型的には、空のサンプル容器２のＸ線画像の解析により、「ボクセル」すなわち単位体積であって該単位体積の値が該単位体積で生じるＸ線の吸収であるものの集合という形でサンプル容器の三次元デジタルモデルを再構築することが可能となる。これにより、密度分布に極めて類似した体積分布関数が得られる。
【０１２２】
三次元デジタルモデルの作成は、数学的、グラフィック的、及びデータ構造的見地からその三次元オブジェクトがコンピュータメモリ内で表現及び操作される態様で行われる。この三次元デジタルモデルが解析され、寸法（長さ、面積、厚さ、体積）が測定される。三次元デジタルモデルは、体積に関するもののままであってもよく、表面モデルすなわち均一な体積が区切られるように表面がモデル化されたものに変換されてもよい。
【０１２３】
表面モデリングでは、オブジェクトは、その包絡体、その境界面によって画定される。これにより、内部／外部の概念を把握することができる。閉じた表面は、体積を定める。例えば、体積に対して材料の体積重量（masse volumique）を与えれば、直ちに重量が割り当てられうる。表面は、ポリゴンモデリング、パラメトリックカーブ又はパラメトリック表面（シリンダー体、錐体、球体、スプライン等）、又は表面の細分化等の、様々な態様でモデル化される。三角形等の多面体のメッシュを用いると、オブジェクトの表面が、平面ファセットの集合であってそれらの頂点で接続されたものによって表される。
【０１２４】
体積モデリングは、ボクセルとして知られる同一の単位体積の集合における表現を基礎に置くことを含む。
【０１２５】
長さの測定を行うための、様々なアプローチがある。
【０１２６】
第１の体積法では、１つの直線（droite）又は複数の直線の束に沿って体積モデルを走査し（parcourir）、材料と空気の境界ボクセルを定めることが可能である。
【０１２７】
第２の表面法では、ある直線と表面モデルの表面との間の複数の交点を複数の端部とするセグメントを計算することが可能である。アルゴリズムにより、トポロジーの問題はかなり良好に解決される。点は、一意に定まる。最後に、混合法は、体積モデルを表面モデルに変換することと、その後に第２の方法を適用することと、を含む。
【０１２８】
本明細書では、三次元デジタルモデルＭの要素とサンプル容器２の要素との対応関係は、三次元デジタルモデルＭの要素がサンプル容器２の要素の仮想的な表現であるという関係であると理解されたい。
【０１２９】
コンピュータ３８は、型座標系Ｘ、Ｙ、Ｚにおけるサンプル容器２の位置に関連付けられた三次元デジタルモデルＭの位置を特定するように構成又はプログラムされている。換言すると、サンプル容器２に対応する三次元デジタルモデルＭは、仕上型内に存するサンプル容器２の位置に関連付けられた既知の位置において参照されうる態様で、解析される。こうして、三次元デジタルモデルＭの任意の領域について、その三次元デジタルモデルＭの当該領域に対応するサンプル容器２の領域の、仕上型内の位置を認識することができる。
【０１３０】
当然ながら、サンプル容器であって該サンプル容器用の識別された仕上型内に存するものの位置に関連付けられた三次元デジタルモデルＭを参照する様々な方法が実装されうる。
【０１３１】
第１のいわゆる手動の解決策は、サンプル容器２の参照レリーフＲ（relief de reperage R）を考慮することを含みうる。「参照レリーフ」という用語は、具体的には、型継目レリーフ、又は、モチーフ、装飾的彫刻等の美的観点、技術的観点（内容物に関するテキスト、コード又は他の記載、型番号、ロット番号、ブランド、モデル）、又は、カウンターリング、キャップ用のねじ山、位置決めタブ、位置決めノッチ、ボトムコンタクトストライプ、ラベルパネル等の機械的観点で容器に施されたレリーフ等の、容器により保持されたレリーフを意味すると理解される。図３に示す例では、サンプル容器２上の参照レリーフＲは、サンプル容器の底部に施された位置決めノッチに対応する。
【０１３２】
参照レリーフＲの位置は、型座標系Ｘ、Ｙ、Ｚにおいて認識される。
【０１３３】
サンプル容器２は、サンプル容器２の参照レリーフＲがサンプルホルダ３１を参照する視覚的又は機械的な機器に関連付けられて配置される態様で、サンプルホルダ３１上に配置される。コンピュータ支援Ｘ線トモグラフィー装置３０は、サンプルホルダ３１を参照する視覚的又は機械的な機器の位置を分かっているので、型座標系Ｘ、Ｙ、Ｚに関連付けて認識されている仮想座標系Ｘｖ、Ｙｖ、Ｚｖにおいて三次元デジタルモデルＭを構築する。換言すると、サンプルホルダ上におけるサンプル容器の実際の位置に関連付けられて、このサンプル容器の三次元デジタルモデルＭが作成されることにより、特に、型の合わせ面で分離されたサンプル容器の右部分及び左部分にそれぞれ対応するこのモデルの右部分及び左部分の位置を特定することが可能となる。
【０１３４】
三次元デジタルモデルＭを参照するために、別のいわゆるソフトウェア解決策は、サンプル容器２が由来する仕上型の型座標系Ｘ、Ｙ、Ｚにおいて位置が認識されているサンプル容器２における参照レリーフＲを選択することを含んでいてもよい。次に、方法は、三次元デジタルモデルＭにおいて、サンプル容器２において選択された参照レリーフＲに対応するレリーフ、仮想参照レリーフＲｖと表記される（図４）、を設けることを含む。仮想座標系Ｘｖ、Ｙｖ、Ｚｖにおいて仮想位置レリーフＲｖの位置を特定し、特定された仮想位置レリーフＲｖの位置に基づいて、識別された仕上型の型座標系Ｘ、Ｙ、Ｚでの三次元デジタルモデルＭの位置を推定できる。したがって、三次元デジタルモデルＭの任意の領域について、三次元デジタルモデルＭの当該領域に対応するサンプル容器２の領域の、仕上型内の位置を認識することが可能である。仮想座標系Ｘｖ、Ｙｖ、Ｚｖの軸Ｘｖ、Ｚｖによって定められる平面は、型合わせ面Ｐに対応する仮想合わせ面Ｐｖである。
【０１３５】
有利な変形実施形態において、この参照方法は、サンプル容器２の機械的設置平面Ｐｐとして機能するサンプルホルダ３１を考慮して三次元デジタルモデルＭを構築することを含む。この方法は、容器の三次元デジタルモデルＭを、その底部で（pose sur son fond）、機械的設置平面Ｐｐに対応すると考えられる仮想座標系の基準平面Ｐｒ上に位置決めすることを含む。この基準平面Ｐｒは、以下では、仮想設置平面とも表記される。
【０１３６】
実施形態の有利な特徴によれば、方法は、サンプル容器の三次元デジタルモデルＭがその底の３点で基準平面又は仮想設置平面Ｐｒに接した静的平衡状態で立つように、サンプル容器の三次元デジタルモデルＭの位置を、基準平面又は仮想設置平面Ｐｒ上に定めることを含む。この手法では、容器を構成する材料の密度の値が考慮される。
【０１３７】
この位置決めでは、サンプル容器の三次元デジタルモデルＭがその底の３点で基準平面又は仮想設置平面Ｐｒに接した静的平衡状態で立つように、重力をシミュレートするための選択がなされうる。
【０１３８】
別の有利な変形実施形態によれば、方法が容器の容量を確認することを目的とする場合、方法は、重力のシミュレーションにより所与の密度の液体が実質的に充填レベル平面まで充填されたサンプル容器の三次元デジタルモデルＭがその底の３点で基準平面又は仮想設置平面Ｐｒに接した静的平衡状態で立つように、サンプル容器の三次元デジタルモデルＭの位置を基準平面又は仮想設置平面Ｐｒ上に定めることを含む。このシミュレーション方法により、液体が充填され設置平面上に設置された現実のサンプル容器に最大限近づくことができる。
【０１３９】
図５に示すように、サンプルホルダ上におけるサンプル容器の仮想設置平面Ｐｒに対して垂直に延びる仮想垂直軸Ｚｖを設ける（disposer）ことができる。図６及び７に示すように、方法は、仕上型の型座標系における参照レリーフＲの位置に対応する位置に仮想参照レリーフＲｖを移動させるように、三次元デジタルモデルＭの、仮想垂直軸Ｚｖの周りの相対回転を実行することを含む。
【０１４０】
上述のように、三次元デジタルモデルＭを解析する際に、サンプル容器の設置平面を規定し、この平面を仮想座標系の基準Ｘｖ、Ｙｖとして使用することが有利である。
【０１４１】
他の有利な参照方法がある。例えば、方法は、三次元デジタルモデルＭの頂点を規定することが必要なものであってもよい。これは、設置平面から最も遠い点である。口天面の平面Ｐｂとして以下を規定してもよい：
-口天面の３つの点を通る平面；
-又は、口天面の平均平面；
-又は、静的平衡状態において口天面に位置する平面。
【０１４２】
本発明に係る方法の目的は、三次元デジタルモデルＭを解析し、サンプル容器の少なくとも１つの領域に関連するサンプル容器２の少なくとも１つの品質指標Ａを確認することである。換言すると、コンピュータ３８は、三次元デジタルモデルＭの解析を、仕上型に由来するサンプル容器の少なくとも１つの領域に関連するサンプル容器２の少なくとも１つの品質指標Ａを確認するように行うようにプログラムされている。本発明によれば、解析により、サンプル容器２の少なくとも１つの品質指標Ａが取得され、該品質指標Ａに基づいて、サンプル容器２の識別された型に関連する成形プロセスの少なくとも１つの制御パラメータ用の調整情報を推定することが可能となる。換言すると、この品質指標Ａにより、成形設備３の成形プロセスの制御パラメータに対して行われるべき修正に関する情報が与えられる。
【０１４３】
上記の制御パラメータは、成形プロセスの制御パラメータに関し、特にサンプル容器２の識別された型に関する。取り出されたサンプル容器が由来するプリフォーム型１３及び／又は仕上型１４は、型番号又は位置番号に基づいて識別されることを思い出されたい。
【０１４４】
好ましい適用例では、本発明に係る方法は、型番号又は位置番号によってサンプル容器２が由来するプリフォーム型１３及び／又は仕切型１４を識別し、型番号又は位置番号をサンプル容器の品質指標Ａに関連付けて利用可能にすることを目的とする。型を識別すること及び型番号又は位置番号を利用可能にすることは、様々なやり方で実行可能である。
【０１４５】
完全に手動の使用においては、オペレータは、サンプル容器２を取り出し、その型番号又は位置番号を認識する。コンピュータ３８により１又は複数の品質指標の値が得られると、オペレータは、サンプル容器の型番号又位置番号に応じてプロセスを操縦できる。
【０１４６】
他の態様の使用例では、本発明に係る装置１は、コンピュータ３８にサンプル容器２の型番号又は位置番号を与えるシステム４０を含む。このシステム４０は、以下の様々なやり方で型番号又は位置番号を与える。
ａ）システム４０は、サンプルホルダ３１へのサンプル容器の手動の供給中において、オペレータがサンプル容器の型番号又は場所番号を入力することを可能にする入力インターフェースである。
ｂ）一連のサンプル容器が自動的に供給される場合には、一連のサンプル容器に関する後続する型番号又は位置番号が既知である順番が予め定まっている。サンプル容器に関する後続する型番号又は位置番号は、システム４０によってコンピュータ３８に与えられる。あるいは、サンプル容器を取り出し供給する部材又は監視ＩＴシステムが、システム４０により、一連のサンプル容器の各々の型番号又は位置番号を与える。
ｃ）装置１が、システム４０を有し、システム４０が、サンプル容器によって保持され型番号を示すレリーフの自動読取器４０ａを含み、自動読取器４０ａは、例えば光学式であり、このシステムは、読み取られた番号を、随意には位置番号との対応表とともに、コンピュータ３８に伝達してもよい。
ｄ）型番号又は位置番号を与えるシステム４０が、サンプル容器２の三次元デジタルモデルＭを解析するためのコンピュータ３８に実装された解析手段によって実現されていてもよい。この解析は、三次元デジタルモデルＭにおいて、型番号又は位置番号を示すものでありサンプル容器２により保持された型番号又は位置番号に対応するものである仮想レリーフＲｎの位置を検索することを目的とする。図４に示す例では、サンプル容器２の三次元デジタルモデルＭは、型番号又は位置番号を示す仮想レリーフＲｎとして、間隔を空けて分布しコードを構成する一連の印字を含む。
【０１４７】
上記の仮想レリーフＲｎの位置を特定した後、解析手段は、この仮想レリーフＲｎを読み取る。第１の方法では、コンピュータにより、ベストフィットアルゴリズム（algorithme de <<best fit>>）によってマッチングされた背景表面を差し引くことにより、上記仮想レリーフを背景から分離する。図４Ａに示すように、コードが白地に黒又は黒地に白という態様のコントラストを有する二次元画像Ｉｅを取得することが可能である。第２の方法によりこの仮想レリーフを読み取るために、コンピュータにより、仮想レリーフＲｎを含む部位の壁の厚さを投影して、投影された厚さの画像を取得する。グレーレベルにより投影されたガラスの厚さが表された二次元画像であるこの厚さの画像Ｉｅでは、コードは白地に黒又は黒地に白のコントラストを有する。取得された二次元画像に基づいて、コードが解析され、別途の公知の画像処理アルゴリズムによって読み取られうる。上記公知の画像処理アルゴリズムは、例えば、セグメント化及び復号化の工程又はＯＣＲ（光学的文字認識）の工程を備える。この仮想レリーフに対応するコードは、コンピュータ３８で利用可能である。
【０１４８】
本発明に係る装置１は、サンプル容器２の１又は複数の品質指標Ａを、使用可能な任意の形式で送信する。これに関して、本発明に係る装置１は、サンプル容器の少なくとも１つの領域に関連するサンプル容器の少なくとも１つの品質指標Ａを送信するシステム４１を含む。例えば、サンプル容器の少なくとも１つの領域に関連するサンプル容器の少なくとも１つの品質指標Ａを送信するためのシステム４１は、サンプル容器の少なくとも１つの領域に関連する品質指標用の表示システム４２を含む。この表示には、識別された仕上型及び／又はプリフォーム型の識別又は識別子（de l'identite ou de l'identification）が付随する。オペレータは、この品質指標Ａに基づいて、識別された仕上型及び/又は識別されたプリフォーム型に関する適切な修正措置を講じることができる。
【０１４９】
上記の例と組み合わされた又は組み合わされない別の例示的な実施形態では、サンプル容器の少なくとも１つの領域に関連するサンプル容器の少なくとも１つの品質指標を送信するシステム４１は、成形設備３の制御システム２３に仕上型の識別に関連する品質指標Ａを送信するための接続４３を含む。この制御システム２３は、自動的に、又は検証後に、適切な修正措置を講じることができる。品質指標Ａと成形設備３の成形プロセスの制御パラメータへの影響との間の対応表を作成することが考えられうる。
【０１５０】
特に限定されないが、サンプル容器の品質指標Ａにより、識別された型に関する容器を成形するプロセスの少なくとも１つの制御パラメータ用の調整情報を、以下の中から推定することが可能となる：
-識別されたプリフォーム型に供給されるガラスゴブの重量又は形状；
-識別されたプリフォーム型に供給される際のガラスゴブの位置又は速度；
-ブロープランジャー、識別された型、ブランクの移送、取り出しグリッパのメカニズムの動きにおける、同期、速度、又は力；
-識別された型又は関連付けられたプランジャーの冷却；
-識別された型に関するブロー又は押し付けの圧力；
-識別された型の交換。
【０１５１】
本発明の有利な特徴によれば、方法は、サンプル容器の品質指標Ａとして以下のリストの中から選択される少なくとも１つの品質指標を確認することを含む：
-サンプル容器のガラスの分布；
-サンプル容器の容量、サンプル容器の包絡体の体積、サンプル容器のガラスの体積、及び、サンプル容器２が由来する仕上型に移送されたブランクが由来する識別されたプリフォーム型に供給されたゴブのガラスの体積の中から選択されるサンプル容器の少なくとも１つの体積の測定値；
-サンプル容器に施されたレリーフの形成；
-サンプル容器の首部の内部幾何形状；
-サンプル容器の口天部の表面の平面性；
-サンプル容器の本体の外直径。
【０１５２】
以下の記載は、サンプル容器の品質指標Ａとしてのガラス分布の確認について説明することを目的としたものである。当然ながら、サンプル容器２のガラス分布は、三次元デジタルモデルＭの解析に基づいて確認された様々なパラメータ又は特徴によって、明確に（evidence）されうる。
【０１５３】
質量中心の位置は、サンプル容器２のガラスの分布の特徴である。
【０１５４】
本発明に係る方法は、三次元デジタルモデルＭの又は当該モデルの一部の質量中心の位置Ｇｖを確認し、位置Ｇｖを質量中心の基準位置Ｇｒと比較するという目的を有する。
【０１５５】
回転形状の（例えば、全体的に円錐体又はシリンダー体であり刻み込みがない）容器では、理論的には、質量中心は、水平方向について容器の対称軸上に中心合わせされている。この特性を検証する１つの方法は、容器の全ての材料の、断平面に関する、垂直軸に平行な投影像を計算することである。この投影像の質量中心は、垂直軸と断平面の交点に中心合わせされているはずである。
【０１５６】
容器が単純な回転形状ではない（通常、非対称形状である、刻み込みがある）場合には、質量中心の基準の位置をメモリに格納できる。質量中心の基準の位置は、例えば、ガラス分布が適正である基準容器の三次元デジタルモデルを解析することにより得られる。
【０１５７】
図８は、三次元デジタルモデルＭ全体の質量中心Ｇｖが仮想座標系Ｘｖ、Ｙｖ、Ｚｖの平面Ｘｖ、Ｙｖに投影された例示的な実施形態を示す。基準容器の質量中心の基準の位置Ｇｒ、ここで基準容器のガラス分布は適正である、は、計算され、仮想座標系Ｘｖ、Ｙｖ、Ｚｖの平面Ｘｖ、Ｙｖに投影される。質量中心Ｇｖ及びＧｒが一致（confondus）していれば、これに基づいて、サンプル容器２のガラス分布は適正と結論付けることができる。図示の例では、三次元デジタルモデルＭの質量中心Ｇｖは、正のＸ方向及び正のＹ方向の間にずれている、すなわち、右半分の殻体の前方の方向にずれている。
【０１５８】
図９は、基準容器の質量中心の基準の位置Ｇｒ、ここで基準容器のガラス分布は適正である、が計算され、（例えば、回転形状の容器用の）仮想座標系Ｘｖ、Ｙｖ、Ｚｖの垂直軸Ｚｖに沿って配された例示的な実施形態を示す。三次元デジタルモデルＭ全体の質量中心Ｇｖが、計算され、随意には仮想座標系Ｘｖ、Ｙｖ、Ｚｖの垂直軸Ｚｖ上に投影される。質量中心Ｇｖ及びＧｒが一致していれば、これに基づいて、サンプル容器２のガラス分布は適正と結論付けることができる。図示の例では、三次元デジタルモデルＭの質量中心Ｇｖは、下側にずれている。
【０１５９】
質量中心のずれに関するこの情報は、例えばゴブの速度、ゴブの到着の時期、型の潤滑等のような、成形プロセスの制御パラメータを調整するための情報を与える。
【０１６０】
別の例では、ガラス壁の厚さもまた、サンプル容器２のガラス分布の特徴である。
【０１６１】
この例では、本発明に係る方法は、所定の値よりも大きい厚さを有する部位の位置を検索することによって、及び／又は、所定の値よりも小さい厚さを有する部位の位置を検索することによって、及び／又は、別々の部位（differentes zones）において最小又は最大厚さの位置及び値を検索することによって、サンプル容器の少なくとも１つの領域におけるガラス壁の厚さを確認することを含む。方法は、三次元デジタルモデルＭを解析して当該三次元デジタルモデルＭの一領域又は全体にわたり外表面Ｓｅと内表面Ｓｆの間の厚さを測定するという目的を有する。これらの測定値が最小閾値及び最大閾値と比較され、過度に薄い又は過度に厚い部位を検知しその程度を測定することが可能となる。当然ながら、この方法は、サンプル容器２の厚さマップを得ることを可能にする。
【０１６２】
以下も可能である：
-三次元デジタルモデルＭの仮想垂直軸Ｚｖを含む垂直断平面によって、又は、上記仮想垂直軸Ｚｖに直交する少なくとも１つの水平断平面によって区切られた、三次元デジタルモデルＭの少なくとも２つの領域に含まれたガラスの体積を確認すること；
-及び、上記体積を基準体積の値と比較すること、及び／又は、上記体積を同一サンプル容器の複数領域間で比較すること、及び／又は、上記体積を複数のサンプル容器間で比較すること。
【０１６３】
図１０は、三次元デジタルモデルＭの解析の例であって、仮想垂直軸Ｚｖに垂直な平行断面に従って取得されたガラスの体積Ｖｒの、仮想垂直軸Ｚｖに沿った分布を表すために用いられているものを示す。当然ながら、この分布は、基準容器の三次元デジタルモデルに基づいて得られた体積の分布と比較される。
【０１６４】
図１１は、仮想垂直軸Ｚｖを含む平面における体積の分布を表すことを可能にする三次元デジタルモデルＭの解析の別の例を示す。この例では、仮想垂直軸Ｚｖの両側（de part et d'autre）に、積み重ねなれた４つの区域、すなわちＡ−Ｂ、Ｃ−Ｄ、Ｅ−Ｆ及びＧ−Ｆである、に位置するガラスの体積が表されている。これらの部位の各々は基準体積の値と比較される、又は、これらの部位のいくつかが互いに比較される。部位Ｃ−Ｄの体積が部位Ｇ−Ｈの体積と比較されることによりガラスの垂直方向の分布が評価され、一方、部位Ａ、Ｃ、Ｅ及びＧと部位Ｂ、Ｄ、Ｆ及びＨという全体的な又は対に関する比較によりガラスの横方向の分布が評価されうる。
【０１６５】
ガラス壁の厚さの分布に関する上記の情報は、例えば仕上型の供給の状況（例えば、デフレクタの位置に関する影響によるもの）、プリフォーム型の換気、潤滑等のような、成形プロセスの制御パラメータを調整するための情報を与える。
【０１６６】
以下の記載は、サンプル容器の品質指標Ａとしてのサンプル容器２の少なくとも１つの体積の測定値であって、サンプル容器の容量、サンプル容器の包絡体の体積、サンプル容器のガラスの体積、及び、上述のようにサンプル容器２が由来する識別された仕上型に移送されたブランクが由来する識別されたプリフォーム型に供給されたゴブのガラスの体積の中から選択される測定値を説明することを目的としたものである。
【０１６７】
図１２は、ガラス容器２の容量の定義を示すことを可能にする。容器２は、中空の物体であって、通常は、底部２ａを含み、本体２ｂは底部２ａから立ち上がり口天部２ｄで終端する首部２ｃへと延び、口天部２ｄは容器を充填又は空にするのに使用される開口又は口を規定する。容器２の容量は、容器がその底部で通常は重力による静的平衡状態で機械的設置平面Ｐｐとして知られた水平面上に設置されたときに、容器の壁の内表面により収容される液体の体積である。
【０１６８】
容器１の縁までいっぱいの容量は、容器の口天部２ｄを通るいわゆる口天平面Ｐｂまで、より正確には容器の口天部２ｄの表面まで、容器を充填する液体の体積に対応する。容器１の公称容量Ｃｎは、液体充填レベル平面Ｐｎまで容器を充填する液体の体積に対応する。液体充填レベル平面Ｐｎは、機械的設置平面Ｐｐと平行に延び、口天平面Ｐｂから所定高さＨｎの位置にある。
【０１６９】
サンプル容器２の容量の確認は、サンプル容器２の三次元デジタルモデルＭを解析する工程であって以下の目的を有するものを伴う：
-サンプル容器２の三次元デジタルモデルＭの内表面Ｓｆを規定すること；
-設置平面に平行であり、容器のデジタルモデルの頂点から距離Ｈｎの位置にある、サンプル容器２の三次元デジタルモデルＭの充填レベル平面Ｐｎの位置を定めること；
-内表面Ｓｆ及び充填レベル平面Ｐｎにより区画された、三次元デジタルモデルＭの内部体積を、計算により測定すること。この測定値は、容器の充填容量Ｃｎに対応する（en sachant que）。
【０１７０】
方法は、三次元デジタルモデルＭに基づいて、三次元デジタルモデルの内表面Ｓｆを、サンプル容器２の内表面に対応するものとして規定することを含む。
【０１７１】
次に、方法は、サンプル容器２の三次元デジタルモデルＭの内表面を閉じるように、充填レベル平面Ｐｎの位置を定めることを含む。こうして、容器の充填体積を取り囲む又は完全に包絡する閉じた表面が定義される。
【０１７２】
次に、方法は、この閉じた表面すなわち三次元デジタルモデルＭの内表面Ｓｆと、充填レベル平面Ｐｎと、により区画された内部体積を、計算により測定することを含む。具体的には、この閉じた表面により区画された内部体積は、充填レベルまでのサンプル容器の内部充填体積に対応する。
【０１７３】
有利な実施形態の特徴によれば、方法は、サンプル容器の三次元デジタルモデルＭを、その底部で、水平であるとみなされる仮想空間の基準平面Ｐｒ上に位置決めすることを含む。この基準平面は、機械的設置平面へのサンプル容器の設置をシミュレートする。このため、この基準平面Ｐｒはまた、仮想設置平面とも称される。
【０１７４】
上述のように、仮想設置平面は、仮想空間における機械的設置平面の表現でありうる。
【０１７５】
次に、充填レベル平面Ｐｎの位置が、基準平面又は仮想設置平面Ｐｒに平行に、容器の三次元デジタルモデルの頂点から距離Ｈｎの位置に定められる。
【０１７６】
有利な変形実施形態では、方法は、サンプル容器の三次元デジタルモデルＭを、基準平面又は仮想設置平面Ｐｒ上に、重力のシミュレーションにより、容器の三次元デジタルモデルが基準平面又は仮想設置平面Ｐｒにその底部の３点で接した静的平衡状態で立つ態様で、配置することを含む。この手法では、容器を構成する材料の密度の値が考慮される。
【０１７７】
別の有利な変形実施形態では、方法は、サンプル容器の三次元デジタルモデルＭを、基準平面又は仮想設置平面Ｐｒ上に、重力のシミュレーションにより、所定の密度の液体により充填レベル平面まで実質的に充填された容器の三次元デジタルモデルが基準平面又は仮想設置平面Ｐｒにその底部の３点で接した静的平衡状態で立つ態様で、配置することを含む。このシミュレーション方法により、液体で充填され充填レベル平面を規定する設置平面上に設置された現実の容器により近づけることが可能となる。
【０１７８】
サンプル容器の三次元デジタルモデルＭの頂点から距離Ｈｎの位置に充填レベル平面Ｐｎが位置している場合には、容器の三次元デジタルモデルＭの頂点は、基準平面又は仮想設置平面Ｐｒから最も離れた三次元デジタルモデルに属する点として、又は、三次元デジタルモデルの口天面の平面Ｐｂと当該モデルの対称軸とが交わる点として、規定される。後者の場合には、対称軸は、基準平面又は仮想設置平面Ｐｒに実質的に直交し、口天面の平面Ｐｂは、口天面における３つの点を通る平面として、又は、口天面の平均平面として、又は、口天面に静的平衡状態で位置する平面として、定義される。当然ながら、本発明に係る方法は、対称軸を含まないサンプル容器についても実施可能である。
【０１７９】
上述の説明から言えることであるが、方法は、容器の縁までいっぱいの容量を測定するために、三次元デジタルモデルの頂点からの距離Ｈｎがゼロの充填レベル平面Ｐｎの位置を定めることを含む。
【０１８０】
方法の変形例では、方法は、容器の縁までいっぱいの容量を測定するために、充填レベル平面Ｐｎは口天面の平面Ｐｂと一致すると考えることを含む。
【０１８１】
同じ意味で、方法は、容器の公称容量Ｃｎを測定するために、三次元デジタルモデルの頂点から公称距離Ｈｎの位置に充填レベル平面Ｐｎの位置を定めることを含む。
【０１８２】
サンプル容器２の体積の他の測定値は、サンプル容器の包絡体の体積である。この測定値により、サンプル容器２が由来する識別された仕上型の体積を遡って知ることが可能となる。サンプル容器の包絡体の体積を確認するために、方法は、以下を含む：
-サンプル容器２の三次元デジタルモデルＭの外表面Ｓｅを規定すること；
-体積閉平面を、口天面の平面Ｐｂ又は口天部型の継目における下方平面として規定すること；
-外表面Ｓｅと閉平面とにより区画された内部体積を、サンプル容器の包絡体の体積として、計算により測定すること。
【０１８３】
有利な変形例では、サンプル容器２が由来する識別された仕上型の体積は、その成型時とＸ線画像の取得時の間のサンプル容器２の冷却による収縮を考慮して確認される。
【０１８４】
この測定の別の変形例では、測定された体積を仮想型合わせ面Ｐｖにより２つの半分の殻体の体積へと分割することによって、識別された仕上型のいずれの部分が関与したのかを確認することができる。その際、精度を高めるために、口天部の型に含まれる体積及び底部の型に含まれる体積の影響を排除することも可能である。具体的には、型の継目及び合わせ面の全ての位置は、型座標系Ｘ、Ｙ、Ｚで特定されるため、それらは、本発明に係る仮想座標系Ｘｖ、Ｙｖ、Ｚｖで認識される。したがって、外表面による体積から、口天部及び底部の型に含まれた体積を排除することができる。
【０１８５】
サンプル容器２の他の体積の測定値は、サンプル容器のガラスの体積である。具体的には、方法は、サンプル容器の三次元デジタルモデルＭの壁の体積であってサンプル容器２のガラス壁の体積に対応するものを確認することを含む。方法は、三次元デジタルモデルＭの壁を完全に包含する表面であってそのため口天部の位置において口天面により外表面Ｓｅに接続された内表面Ｓｆを備える表面を規定するという目的を含む。この体積は、サンプル容器２のガラスの体積の第１の利用可能な測定値である。
【０１８６】
サンプル容器２の他の体積の測定値は、サンプル容器の実際のガラスの体積である。この測定は、サンプル容器の壁における材料欠陥であって泡の形をとるものを考慮する。この目的のために、方法は、内表面Ｓｆと外表面Ｓｅとの間の材料欠陥に対応する泡を検索することにより、三次元デジタルモデルＭを解析する。方法は、上記泡の体積を測定し、その体積が、内表面Ｓｆと外表面Ｓｅとの間で規定される三次元デジタルモデルＭの壁の体積から差し引かれる。この体積の測定値は、サンプル容器２が由来する仕上型に移送されたブランクが由来する識別されたプリフォーム型に供給されたゴブのガラスの体積に対応する。考慮される泡は、閾値よりも大きい寸法の泡である。具体的には、極めて細かく材料において均一に分布している泡は、窯におけるガラスの清澄に依存する（liees）。それらを見るには非常に解像度の高いトモグラフが必要であるが、それにより、装置（ナノスケールの焦点及びセンサの解像度）のコストが増加し、現在利用可能な装置を用いた場合に必要となる取得時間が原因で運用コストが増加する。ゴブに存在する上記の細かい泡（Ces bulles d'affinage）は、容器の体積に基づいてゴブの体積を計算するのに考慮されない。一方、所与の閾値よりも大きい寸法の泡、そのような泡は単純なマイクロレベルの焦点のトモグラフで見ることができる、は、供給路において、供給中において、又は最も大きい泡についてはブランクのブロー中に、生成される。容器の実際の体積に基づいてゴブの体積を計算するためには、容器からそれらの体積を差し引くことが賢明である。
【０１８７】
供給する又はブローする泡の存在、寸法、位置は、方法のパラメータに関するサンプル容器の品質指標、例えば、ゴブの生成（ガラスの温度がプランジャーの近くにおいて低過ぎる）、プリフォーム型へのゴブの供給条件、プリフォーム型及びプランジャーの換気（熱過ぎる）及びブランクの他のブロー等、を構成する。
【０１８８】
サンプル容器の体積の測定値の利用の有利な特徴によれば、本発明に係る方法は、以下を含む：
-三次元デジタルモデルＭのガラスの体積は、プリフォーム型へと供給されたゴブの体積の測定値であると考えること、ここで、材料欠陥は考慮する又は考慮しない；
-外表面Ｍ及び閉平面により区画される内部体積は、識別された仕上型の内部体積の測定値であると考えること；
-三次元デジタルモデルの内表面Ｓｆ及び充填レベル平面Ｐｎにより区画される体積は、サンプル容器の容量の測定値であると考えること；
-サンプル容器の容量の測定値及び仕上型の内部体積の測定値から、サンプル容器２が由来するプリフォーム型に供給されたゴブの体積を推定すること；
-及び、サンプル容器の容量が不適合である場合には、ゴブの重量であって少なくともサンプル容器が由来するプリフォーム型に与えられる重量を変更することを決定する、又は、仕上型を交換することを決定すること。
【０１８９】
当然ながら、サンプル容器の体積の１つ及び／又は他の測定値により、サンプル容器の型に関連する成形プロセスの様々な他の制御パラメータ用の調整情報を推定することが可能となる。容量の測定値は、例えば、仕上型を取り出すための機器の修正につながる可能性がある。ゴブの体積の測定値は、ゴブの源及びハサミによる切断の調整に利用されうる。識別された仕上型の内部体積の測定値により、潤滑パラメータ（頻度、投与量）に関連する異常な測定値を特定することが可能となる。
【０１９０】
以下の記載は、サンプル容器の品質指標Ａとして、サンプル容器２に施されたレリーフＢの形成を説明することを目的とする。
【０１９１】
レリーフＢという用語は、具体的には、容器の外表面により保持されるレリーフを意味すると理解される。レリーフは、例えば、型継目レリーフ、又は、モチーフ、装飾的彫刻等の美的観点、技術的観点（内容物に関するテキスト、コード又は他の記載、型番号、ロット番号、ブランド、モデル）、又は、カウンターリング、キャップ用のねじ山、位置決めタブ、位置決めノッチ、ボトムコンタクトストライプ、ラベルパネル等の機械的観点で容器に施されたレリーフである。
【０１９２】
本発明に係る方法は、１又は複数のレリーフＢであって、その形成又は外観が、特に幾何的特徴を制御することにより制御されることが望まれるものを検査するという目的を有する。図１２に示す例では、サンプル容器２におけるレリーフＢは、サンプル容器の外表面における肩部に施されたモチーフに対応する。当然ながら、サンプル容器２上に存在する、１つのレリーフを検査するのか、複数のレリーフを検査するのか、レリーフの一部を検査するのか、レリーフの全体を検査するのか、は選択可能である。
【０１９３】
方法は、図１３Ａに示されている三次元デジタルモデルＭにおいて、サンプル容器２のレリーフＢに対応する仮想レリーフＢｖを参照することを含む。任意の位置特定方法が実行されうる。上述のように、この位置特定は、三次元デジタルモデルＭの位置が仮想座標系において知られており、仮想座標系と型座標系との関係も知られているという事実によって、よりシンプルとなることに留意されたい。
【０１９４】
レリーフＢの形成を確認するために、仮想レリーフの形成がサンプル容器により保持されたレリーフの形成に対応することを考慮したいくつかの方法が可能である。図１３Ｂにより正確に示す例によれば、本発明に係る方法は、以下を含む：
-サンプル容器の三次元デジタルモデルＭにおける少なくとも１つの断平面Ｃ−Ｃの位置を、該断平面が上記仮想レリーフＢｖの少なくとも一部を切断するように定めること；
-断平面Ｃ−Ｃにおいて、仮想レリーフの部分の代表カーブＣｒを規定すること；
-代表カーブＣｒに少なくとも部分的にゼロ高さカーブＣａを重畳すること、ここで、ゼロ高さカーブＣａは上記仮想レリーフを除いたサンプル容器の外表面Ｓｅのカーブに対応する；
-及び、相異なる数量を有しうるレリーフＢの形成指標を計算する（calculant）ことにより、代表カーブＣｒをゼロ高さカーブＣａと比較すること。
【０１９５】
例えば、レリーフＢの形成指標として、ゼロ高さカーブＣａと代表カーブＣｒとの間の距離を採用できる。また、所与の位置におけるゼロ高さカーブＣａと代表カーブＣｒとの間の傾斜の差を、又は、代表カーブＣｒの傾斜の変化を、採用できる。図１３Ｂは、所与の位置におけるゼロ高さカーブＣａと代表カーブＣｒとの間の傾斜の差を角度αで示し、代表カーブＣｒの傾斜の変化を角度βで示す。ゼロ高さカーブＣａ及び代表カーブＣｒにより区画された面積Ｎもまた、レリーフＢの形成指標として採用できる。
【０１９６】
この変形実施形態は、レリーフが技術的な観点のものでありレリーフの位置が当然に知られている場合に有利であることに留意されたい。この方法は、以下を含む：
-三次元デジタルモデルＭにおいて、技術的観点によるレリーフであって位置が既知であるものに対応する仮想レリーフを選択すること；
-三次元デジタルモデルＭにおける断平面の位置を、該断平面が、デザイン平面又は技術的観点によるレリーフの許容指示値が設定されている（portant des indications de tolerance）標準定義平面に対応する切断面において上記仮想レリーフを切断するように定めること；
-レリーフの部分の代表カーブＣｒを取得すること；
-この代表カーブにおいて、曲率半径、角度、長さ、及び／又は、ゼロ高さカーブＣａまでの距離を測定すること；
-これらの測定値を、レリーフの許容指示値と比較すること。
【０１９７】
レリーフの形成を確認するために、図１３Ｃに示す他の方法は、以下を含んでいてもよい：
-レリーフの代表表面Ｓｒを、レリーフに対応する仮想レリーフの少なくとも一部を含む対象となる部位における三次元デジタルモデルＭの外表面の一部として規定すること；
-仮想レリーフの対象となる部位の外表面Ｓｅに少なくとも部分的に、当該レリーフを除いた対象となる部位の表面を表すゼロ高さ表面Ｓａを重畳すること；
-及び、上述のように様々な数量でありうるレリーフＢの形成指標を計算することにより、代表表面Ｓｒをゼロ高さ表面Ｓａと比較すること。レリーフ形成指標として、以下の数量の少なくとも１つが選択されうる：
*ゼロ高さ表面Ｓａと代表表面Ｓｒとの間の距離ｄ；
*所与の位置におけるゼロ高さ表面Ｓａと代表表面Ｓｒとの間の傾斜の差α；
*代表高さ表面Ｓｒの傾斜の変化β；
*ゼロ高さ表面Ｓａ及び代表表面Ｓｒにより区画された体積Ｖ。
【０１９８】
レリーフの形成を確認するために、図１３Ｄに示す他の方法は、以下を含んでいてもよい：
-レリーフの代表表面Ｓｒを、レリーフに対応する仮想レリーフの少なくとも一部を含む対象となる部位における三次元デジタルモデルの外表面Ｓｅとして規定すること；
-対象となる部位の外表面Ｓｅに少なくとも部分的に、レリーフが正しく形成されている場合における対象となる部位の表面を表す理論的レリーフ表面Ｓｒｉを重畳すること；
-レリーフ形成指標として以下の数量の少なくとも１つを計算することにより、代表表面Ｓｒを理論的レリーフ表面Ｓｒｉと比較すること：
*代表表面Ｓｒと理論的表面Ｓｒｉとの間の距離；
*所与の位置における代表表面Ｓｒと理論的表面Ｓｒｉの間の傾斜の差；
*代表表面Ｓｒ及び理論的表面Ｓｒｉにより区画された複数の体積。
【０１９９】
これらの数量の１つ及び／又は他が、例えば、これらレリーフＢの形成品質を確認するための基準値と比較され、この比較に基づいて、サンプル容器の識別された仕上型に関連する成形プロセスの少なくとも１つの制御パラメータ用の調整情報を推定することが可能となる。典型的には、型の換気、ブローの時期（延伸の持続時間）、ブローの期間、仕上型のメンテナンス及び通気口による吸引を変更することによって、通常は仕上型における最終成形工程において影響するように、レリーフの形成を向上させることが可能である。
【０２００】
以下の記載は、サンプル容器の品質指標Ａとしての首部の内部幾何形状を説明することを目的とする。上述のように、この幾何形状は、様々な高さにおける、又は、高さ全体にわたる、首部の内直径の値により定義される。
【０２０１】
本発明では、方法は、図１４に示すように、三次元デジタルモデルＭにおいて、サンプル容器の首部に少なくとも対応する内表面Ｓｆを規定することを含む。方法は、断平面Ｐｇであって、例えばモデルの設置平面Ｐｒ（図１６）に平行であり所与の高さで三次元デジタルモデルの首部を切断する断平面Ｐｇを選択することを含む。この断平面において、０〜３６０°の複数の直径を測定することが可能である。方法は、この断平面において内表面の複数の直径を測定することと、断平面における少なくとも最小値及び／又は最大値を確認することと、を含む。
【０２０２】
また、上述のように、三次元デジタルモデルの口天部の表面を、モデルの口天面の平面Ｐｂｖを規定するために規定することが可能である。開口Ｄｏ（又は口）における直径を、例えば、口天面の５ｍｍ下に断平面の位置を定めることにより、口の下に距離ｐ＝５ｍｍの位置において確認できる。
【０２０３】
また、首部を口天面（又は口天面の平面Ｐｂｖ）から首部の底まで設置平面Ｐｒに又は口天面の平面Ｐｂｖに平行な断平面により走査し、それらの断平面の各々における０〜３６０°の複数の直径を測定することにより、首部の高さ全体にわたる直径を確認することが可能である。例えば、内部プロファイル又は開栓プロファイルを得るように、各断平面について３６０°についての最小直径を確認し、断平面の深さの関数としてのこの直径の値を考えることができる。図１４Ａは、測定された内部プロファイル、すなわち、首部の高さ全体にわたる垂直軸Ｚｖに沿う最小内直径Ｄｉの測定値の変化、の例を示す。
【０２０４】
あるいは、「開口における直径」を測定するという目的であって、「開口における直径」は口天面から所与の深さにわたる最小及び最大の直径許容値により説明されるものであり（qui est specifie）、所与の深さは例えば５ｍｍであり、許容値に関する許容範囲は例えば１８ｍｍ±０．５である目的のために、首部のモデル化された内表面に内接する最大直径の（de diametre maximum s'inscrivant dans la surface interne modelisee）、高さ５ｍｍの第１円筒面の仮想的に配置し、同様に、モデル化された内表面を収容する最小直径の（de diametre minimum contenant la surface interne modelisee）、高さ５ｍｍの第２円筒面を仮想的に配置し、モデル化された内表面に内接及び外接するこれらの円筒面のこれらの直径（les diametres des surfaces cylindriques inscrite et exinscrite）はサンプル容器の開口における直径の測定値であると考えることができる。これらの直径はそれぞれ許容値と比較される。
【０２０５】
また、首部の内表面の高さ全体にわたる最小直径を確認して、穴開け直径を検査することも可能である。
【０２０６】
開口における直径、穴開け直径及び首部の内部プロファイルは、ゴブの温度、プランジャー及びプリフォーム型の温度、プリフォーム型における口天部型の幾何形状、及び圧縮及びブローの「タイミング」のような成形プロセスのパラメータに関連する。
【０２０７】
以下の記載は、サンプル容器の品質指標Ａとしての口天面の平坦性の測定値を説明することを目的としたものである。三次元デジタルモデルＭにおける口天面の平坦性の測定は、様々なやり方でなされうる。
【０２０８】
図１５に示すように、方法は、口天部の表面を表す環状面Ｃｓｂを規定することを含む。上記表面は、理論的には平坦なリング又は完全なトロイドであるが、他のプロファイルが生じている（existe）。口天部の基準平面Ｐｃｓｂの位置を定め、口天部の代表表面と上記平面との間の差を解析することが可能である。横方向及び／又は接線方向の表面のねじれ（torsions）が測定され解析される。これらのねじれは、表面の角部又は曲部でありうる。あるいは、上記の閉じた三次元カーブと位置決めされた基準平面との間の差を、以下で説明するような別のやり方で確認及び測定することが可能である。表面間の差を測定するための方法については、説明済みである。代表表面の平面との比較は、表面における点間の距離及び／又は表面により区画された体積を測定することを含む。この場合、例えば、口天面が正しければ、この表面と口天部の基準平面との間の体積はゼロとなるはずである。
【０２０９】
別の変形例では、口天面を表す三次元カーブが説明される。このカーブは、例えば、仮想設置平面Ｐｒに対する全ての最も高い点であって、口天部の縁全体にわたり検知されるものである。また、これは、モデルの内表面Ｓｆと外表面Ｓｅとの間の接続点でありうる。口天面を表す上記の閉じた三次元カーブと位置決めされた基準平面との間の差を、以下で説明するような別のやり方で確認及び測定することが可能である。代表カーブと基準平面との間の差の測定は、例えば、カーブの点と口天面の基準平面における対応する点との間の距離を測定することを含む。上述の距離は、例えば、軸Ｚｖに沿ったものである。
【０２１０】
基準平面は、上述のように、口天面の平面すなわち以下のいずれかでありうる：
Ｉ．口天面の３つの点を通る平面；口天面を表すカーブ上への静的平衡状態にある平面の設置をシミュレートする反復的アルゴリズムが可能である；
II．又は、口天面の平均平面、それは例えば閉じた表面の点からの距離の数学的関数にベストフィットした位置を通る平面である（plan passant au mieux selon une fonction mathematique de distance par le point de la surface fermee）。
【０２１１】
また、平坦性の指標は、代表カーブの曲率により定義されうる。代表カーブの曲率は、正常時はゼロである（曲率半径が無限である）。
【０２１２】
別の方法は、首部又は口天部の軸に対応する垂直軸ｚを有する円筒座標（ｒ、Ｚ、θ：半径ｒ、高さＺ、角度θ）を用いることを含む。多くの場合、口天面の平坦性の欠陥は、少なくとも２つのタイプに分類される。「ガラス不足」タイプは、仕上型にゴブが供給される際の口天型への溶融ガラスの充填の問題に関する。これらは、垂直軸の方向周りの小さい角度幅（Δθ）にわたって延びる高さの差（Δｚ）により特徴付けられる。「歪んだ口天部（≪ bague voilee ≫）」タイプの欠陥は、理論軸周りのより大きい角度幅にわたって延びる高さの差であり、通常は比較的目立たないがやっかいな欠陥であり、多くの場合、陥没（affaissements）に、型から製品を取り出す移送時の機械的な問題に、又は、ガラスの温度及び冷却の熱的な問題に起因する。口天部の平坦性を測定することは、口天面と平面との間の差を確認することに相当する。
【０２１３】
口天面の平坦性の測定値は、成形プロセスのパラメータに関連しうる品質指標であることが分かる。例えば、非形成タイプの欠陥は、プリフォーム型を充填する不十分なゴブの体積（又は重量）、又は、プレスブローにおけるプランジャーの不十分な圧力、又は、不十分なブロー圧力、又は、圧縮不良に対応する。
【０２１４】
以下の記載は、サンプル容器の品質指標Ａとしてのサンプル容器の本体の外直径を説明することを目的としたものである。
【０２１５】
本発明では、方法は、図１６に示すように、三次元デジタルモデルＭにおいて、外直径が測定されるべきサンプル容器の少なくとも一部に対応する外表面Ｓｅを規定することを含む。方法は、所与の高さにおいて、例えばモデルの仮想設置平面Ｐｒに平行な断平面Ｐｄを選択することと、この断平面において外表面Ｓｅに関する０〜３６０°の複数の直径Ｄｖを測定することと、を含む。当然ながら、断平面の位置を、サンプル容器の本体の、外直径が測定されるべき様々な高さに定めてもよい。方法は、これらの測定値を基準値と比較することを含む。
【０２１６】
サンプル容器の本体の外直径の測定値は、例えば型の冷却、型のメンテナンス、型開きと取り出しとの間の期間等のような、成形プロセスのパラメータに関連しうる品質指標である。
【０２１７】
本発明に係る装置１により、サンプル容器の様々な他の品質指標を確認することも可能となることに留意されたい。三次元デジタルモデルＭの解析に基づいて、以下を測定することが可能である：
*サンプル容器の本体、サンプル容器の首部又はサンプル容器全体の垂直性；
-所望の数の高さにおける、サンプル容器の本体の外直径、それらの最小値及び最大値、及び、サンプル容器の楕円率；
*サンプル容器の高さ；
*サンプル容器の底部に対する口天部の傾斜；
*サンプル容器の本体に対する口天部の向き；
*型の継目の品質（型の継目に残ったバリから）；
*サンプル容器の中空又は外側に張り出した（膨らんだ）壁の異常な湾曲；
*サンプル容器の肩部の陥没。
【０２１８】
上述の記載から、本発明に係る装置１が、ユーザの必要に応じて、サンプル容器の１又は複数の品質指標を認識するための様々な構成を有しうることは明らかである。
【０２１９】
有利な構成では、本発明に係る装置は、サンプル容器の品質指標として、以下のリストの中から選択される少なくとも１つの品質指標を確認できる：
-サンプル容器のガラスの分布；
-サンプル容器の少なくとも１つの体積の測定値であって、サンプル容器の容量、サンプル容器の包絡体の体積、サンプル容器のガラスの体積、及び、随意には、識別されたプリフォーム型であってそのブランクはサンプル容器２が由来する仕上型に移送されたものに供給されたゴブのガラスの体積の中から選択される測定値；
-及び、サンプル容器に施されたレリーフの形成。
【０２２０】
他の有利な構成では、本発明に係る装置は、サンプル容器の品質指標として、サンプル容器の容量の測定値、サンプル容器の包絡体の体積、サンプル容器のガラスの体積、及び、随意には、識別されたプリフォーム型であってそのブランクはサンプル容器２が由来する仕上型に移送されたものに供給されたゴブのガラスの体積、を確認できる。
【０２２１】
他の有利な構成では、本発明に係る装置はまた、サンプル容器の品質指標として、サンプル容器のガラスの分布、サンプル容器の容量の測定値、サンプル容器の包絡体の体積、サンプル容器のガラスの体積、及び、随意には、識別されたプリフォーム型であってそのブランクはサンプル容器２が由来する仕上型に移送されたものに供給されたゴブのガラスの体積、を確認できる。
【０２２２】
他の有利な構成では、本発明に係る装置はまた、サンプル容器の品質指標として、サンプル容器に施されたレリーフの形成、サンプル容器のガラスの分布、サンプル容器の容量の測定値、サンプル容器の包絡体の体積、サンプル容器のガラスの体積、及び、随意には、識別されたプリフォーム型であってそのブランクはサンプル容器２が由来する仕上型に移送されたものに供給されたゴブのガラスの体積、を確認できる。
【０２２３】
他の有利な構成では、本発明に係る装置は、サンプル容器の品質指標として、サンプル容器に施されたレリーフの形成、サンプル容器のガラスの分布、サンプル容器の容量の測定値、サンプル容器の包絡体の体積、サンプル容器のガラスの体積、及び、随意には、識別されたプリフォーム型であってそのブランクはサンプル容器２が由来する仕上型に移送されたものに供給されたゴブのガラスの体積、及び、以下のリストから選択される少なくとも１つの他の指標、を確認できる：
-サンプル容器の首部の内部幾何形状；
-サンプル容器の口天部の表面の平坦性；
-サンプル容器の本体の外直径。
【０２２４】
他の有利な構成では、本発明に係る装置は、サンプル容器の品質指標として、サンプル容器のガラスの分布、サンプル容器の容量の測定値、及び、以下のリストから選択される少なくとも１つの他の指標、を確認できる：
-サンプル容器の首部の内部幾何形状；
-サンプル容器の口天部の表面の平坦性；
-サンプル容器の本体の外直径。
【０２２５】
有利な実施形態の特徴では、サンプル容器の三次元デジタルモデルを完全な容器を表す基準三次元デジタルモデルとマッチングし、基準デジタルモデルに属する表面要素と三次元デジタルモデルに属する表面要素との間の距離を測定することにより寸法の差を確認するという作業を行ってもよい。
【０２２６】
本発明に係る装置１は、様々な供給手段及び取り出し手段を含み得る。これらの手段は、コンベア、グリッパを有するリニアアクチュエータ、ロボットアーム、測定対象の一連のサンプル容器を受け取るポケットが設けられたワゴン（chariot）等を含みうることに留意されたい。
【０２２７】
コンピュータ３８は、監視システム、監視及び統計解析システム、成形設備の制御システム等の様々な装置に接続されうる。
【０２２８】
装置１は、好ましくは、図１に示されるように、製造設備の近くに設置され、サンプル容器は、遅くとも、設備のアニーリングアーチに入る前に取り出される。それらは、通常は、まだ高温である。サンプル容器がアニーリングアーチを通過した後に取り出された場合、指標を考慮してこのプロセスのパラメータを変更するための応答時間（temps de reaction）は、凡そ３０分〜１時間程度長くなる。これは、品質指標の適切な利用という点で好ましくない。
【０２２９】
したがって、例えばアニーリングアーチの後に冷たい区域又は品質部門の近く等の製造装置から離れた位置に装置１を配置することは、可能であるが好ましくない。
【０２３０】
本発明は、その範囲から逸脱することなく様々な修正を行うことができるので、説明及び図示した例に限定されない。
【図１】
2021505883.tif 000003
【図２】
2021505883.tif 000004
【図３】
2021505883.tif 000005
【図４】
2021505883.tif 000006
【図４Ａ】
2021505883.tif 000007
【図５】
2021505883.tif 000008
【図６】
2021505883.tif 000009
【図７】
2021505883.tif 000010
【図８】
2021505883.tif 000011
【図９】
2021505883.tif 000012
【図１０】
2021505883.tif 000013
【図１１】
2021505883.tif 000014
【図１２】
2021505883.tif 000015
【図１３Ａ】
2021505883.tif 000016
【図１３Ｂ】
2021505883.tif 000017
【図１３Ｃ】
2021505883.tif 000018
【図１３Ｄ】
2021505883.tif 000019
【図１４】
2021505883.tif 000020
【図１４Ａ】
2021505883.tif 000021
【図１５】
2021505883.tif 000022
【図１６】
2021505883.tif 000023
【国際調査報告】
2021505883.tif 000024
2021505883.tif 000025
2021505883.tif 000026
2021505883.tif 000027
2021505883.tif 000028
2021505883.tif 000029